(57)【特許請求の範囲】
【請求項１】
通信を制御する方法であって、ユーザ機器は、第１通信を実行する必要のあるとき、基地局から、前記第１通信のために必要な第１通信リソースを取得し、前記ユーザ機器が、基地局から、前記第１通信のために必要な第１通信リソースを取得することは、
前記ユーザ機器により、前記基地局から第１システム情報ブロックＳＩＢを受信するステップであって、前記第１ＳＩＢは、第２通信のための第２通信リソースプールを含み、及び前記第２通信リソースプールを用いて前記第１通信を実行するよう前記ユーザ機器に指示するための指示を含む、ステップ、又は、
前記ユーザ機器により、前記基地局へ通信リソース要求を送信し、前記ユーザ機器により、前記基地局から専用シグナリングを受信するステップであって、前記専用シグナリングは、第２通信のために使用される第２通信リソースプールを用いて前記第１通信を実行するよう前記ユーザ機器に指示するための指示を含む、ステップ、
を含み、
前記第１通信及び前記第２通信は両方とも、装置対装置Ｄ２Ｄ通信であり、前記第１通信の種類は前記第２通信の種類と異なる、方法。
【請求項２】
前記方法は、
前記ユーザ機器により、前記第１ＳＩＢ又は前記専用シグナリング内に含まれる前記指示に従い、前記第２通信リソースプールから前記第１通信リソースを選択するステップ、
を更に含む請求項１に記載の方法。
【請求項３】
前記第１ＳＩＢ内に含まれる前記指示に従い、前記第２通信リソースプールから前記第１通信リソースを選択するとき、前記ユーザ機器はアイドル状態である、請求項２に記載の方法。
【請求項４】
前記第１ＳＩＢを受信する前記ユーザ機器はアイドル状態である、請求項１乃至３のいずれか一項に記載の方法。
【請求項５】
前記通信リソース要求を送信する前記ユーザ機器は無線リソース制御ＲＲＣ接続状態である、請求項１又は２に記載の方法。
【請求項６】
前記通信リソース要求を前記基地局へ送信するステップの前に、前記方法は、
前記ユーザ機器により、前記基地局から第２ＳＩＢを受信するステップ、を更に含み、
前記通信リソース要求を前記基地局へ送信する前記ステップは、
前記基地局によりブロードキャストされた前記第２ＳＩＢが、前記第２通信のために使用される第２通信リソースプールを含み且つ前記第２通信リソースプールを使用して前記第１通信を実行するよう前記ユーザ機器に指示するための指示を含まない、又は前記ユーザ機器が前記第２通信リソースプールを用いて前記第１通信を実行できないことを示す指示を含む場合、前記ユーザ機器により、アイドル状態から無線リソース制御ＲＲＣ接続状態に入り、前記基地局へ前記通信リソース要求を送信するステップを含む、
請求項１、２、又は５のいずれか一項に記載の方法。
【請求項７】
前記専用シグナリングはＲＲＣシグナリングである、請求項１、２、５、又は６のいずか一項に記載の方法。
【請求項８】
通信を制御する方法であって、基地局が、第１通信を実行する必要のあるユーザ機器に、前記第１通信のために必要な第１通信リソースを割り当て、前記基地局が、第１通信を実行する必要のあるユーザ機器に、前記第１通信のために必要な第１通信リソースを割り当てることは、
前記基地局により、第１ＳＩＢメッセージをブロードキャストするステップであって、前記第１ＳＩＢメッセージは、第２通信のために使用される第２通信リソースプールを含み、前記第２通信リソースプールを用いて前記第１通信を実行するよう前記ユーザ機器に指示するための指示を含む、ステップ、又は、
前記基地局により、前記ユーザ機器から第１通信リソース要求を受信し、前記基地局により、前記ユーザ機器へ専用シグナリングを送信するステップであって、前記専用シグナリングは、第２通信のために使用される第２通信リソースプールを用いて前記第１通信を実行するよう前記ユーザ機器に指示するための指示を含む、ステップ、
を含み、
前記第１通信及び前記第２通信は両方とも、Ｄ２Ｄ通信であり、前記第１通信の種類は前記第２通信の種類と異なる、方法。
【請求項９】
第１通信リソース要求を前記ユーザ機器から受信するステップの前に、前記方法は、
前記基地局により、第２ＳＩＢをブロードキャストするステップ、を更に含み、
前記第１通信リソース要求を前記ユーザ機器から受信する前記ステップは、
前記基地局によりブロードキャストされた前記第２ＳＩＢが、前記第２通信のために使用される第２通信リソースプールを含み且つ前記第２通信リソースプールを使用して前記第１通信を実行するよう前記ユーザ機器に指示するための指示を含まない、又は前記ユーザ機器が前記第２通信リソースプールを用いて前記第１通信を実行できないことを示す指示を含む場合、前記基地局により、前記ユーザ機器から前記第１通信リソース要求を受信するステップを含む、
請求項８に記載の方法。
【請求項１０】
前記専用シグナリングは無線リソース制御ＲＲＣシグナリングである、請求項８又は９に記載の方法。
【請求項１１】
ユーザ機器であって、プロセッサを含み、該プロセッサは命令を格納するよう構成されるメモリに結合され、前記プロセッサは、請求項１乃至７のいずれか一項に記載の方法を実行するための前記命令を実行するよう構成される、ユーザ機器。
【請求項１２】
基地局であって、プロセッサを含み、該プロセッサは命令を格納するよう構成されるメモリに結合され、前記プロセッサは、請求項８乃至１０のいずれか一項に記載の方法を実行するための前記命令を実行するよう構成される、基地局。
【発明の詳細な説明】
【技術分野】
【０００１】
本発明の実施形態は、通信技術に関し、特に、通信を制御する方法、ユーザ機器、及び基地局に関する。
【背景技術】
【０００２】
通常、ユーザ機器間の通信は、セルラ通信技術で基地局により転送する手段により実施される。つまり、ユーザ機器は、無線インタフェースを使用することにより基地局と通信し、基地局はユーザデータをネットワーク内の宛先ノードへ転送する。しかしながら、セルラ通信では、無線スペクトルリソースの不足に起因して、スペクトルリソースの利用率をどのように向上するかが研究のホットスポットになってきている。
【０００３】
これに鑑み、新たな無線インタフェース技術、装置間（Device−to−Device、略してＤ２Ｄ）通信が、提案されている。Ｄ２Ｄ通信は、ユーザ機器がセルリソースを再利用することにより互いに直接通信可能な新たな通信技術である。これは、セルラ通信システムのスペクトル効率を向上し、基地局の負荷を低減し、無線通信システムにおけるスペクトルリソース不足の問題をある程度解決できる。
【０００４】
現在、Ｄ２Ｄ通信は、マルチキャスト通信（つまり１対多通信）をサポートする。つまり、Ｄ２Ｄユーザ機器（User  Equipment、略してＵＥ）は、通信グループ内の幾つかのＵＥへＤ２Ｄデータを送信して良い。現在、Ｄ２Ｄ通信では、主な研究ホットスポットはマルチキャスト通信である。しかしながら、実際の用途では、ユニキャスト通信（つまり１対１通信）要件が存在し得る。つまり、１つのＵＥは、Ｄ２Ｄ通信方法で別のＵＥと通信する。この要件の下で、基地局がユニキャストＤ２Ｄ通信を実行する必要のあるユーザ機器をどのように制御するかが、緊急に解決する必要のある問題になっている。
【発明の概要】
【０００５】
本発明の実施形態は、基地局がユーザ機器の第１通信を制御できるように、通信を制御する方法、ユーザ機器、及び基地局を提供する。
【０００６】
本発明の第１の態様は、通信を制御する方法であって、ユーザ機器は、第１通信を実行する必要のあるとき、基地局から、前記第１通信のために必要な第１通信リソースを取得し、ユーザ機器が、基地局から、前記第１通信のために必要な第１通信リソースを取得することは、
前記ユーザ機器がＲＲＣアイドル状態である場合に、前記基地局によりブロードキャストされたシステム情報ブロックＳＩＢを受信することにより、前記第１通信リソースを取得する得ステップ、又は、
前記ユーザ機器がＲＲＣアイドル状態である場合に、ＲＲＣ接続状態に入り、前記基地局へ第１通信リソース要求を送信するステップであって、前記第１通信リソース要求は、前記第１通信リソースを割り当てるよう前記基地局に要求するために使用される、ステップ、又は、
前記ユーザ機器がＲＲＣ接続状態である場合に、前記基地局へ第１通信リソース要求を送信するステップであって、前記第１通信リソース要求は、前記第１通信リソースを割り当てるよう前記基地局に要求するために使用される、ステップ、
を含む、方法を提供する。
【０００７】
第１の態様を参照して、第１の態様の第１の可能な実装では、ユーザ機器が、第１通信を実行する必要のあるとき、基地局から、前記第１通信のために必要な第１通信リソースを取得することは、
前記ユーザ機器により、前記第１通信リソースの使用モードに従い、前記第１通信リソースを取得するステップであって、前記第１通信リソースの前記使用モードは共有モード及び独立モードを含み、
前記共有モードは、前記第１通信リソース及び第２通信リソースが共有可能であることを意味し、又は、
前記独立モードは、前記第１通信リソース及び前記第２通信リソースが独立して使用されることを意味し、
前記第１通信リソースの前記使用モードは、プロトコルの中で定められ、又はＲＲＣメッセージを用いて構成され、及び、
前記第２通信リソースは、第２通信が実行されるときに使用される対応する通信リソースである、ステップ、を含む。
【０００８】
第１の態様又は第１の態様の第１の可能な実装を参照して、第１の態様の第２の可能な実装では、前記ユーザ機器がＲＲＣアイドル状態である場合に、前記基地局によりブロードキャストされたシステム情報ブロックＳＩＢを受信することにより、前記第１通信リソースを取得する前記ステップは、
前記第１通信リソースの前記使用モードが前記共有モードであり、且つ前記基地局によりブロードキャストされた前記ＳＩＢが、前記第２通信のために使用される第２通信リソースプールを含み、及び前記第２通信リソースプールを使用することにより前記第１通信を実行するよう前記ユーザ機器に指示するために使用される指示メッセージを含む場合、前記ユーザ機器により、前記アイドル状態に留まり、前記第２通信のために使用され且つ前記基地局によりブロードキャストされた前記ＳＩＢに含まれる前記第２通信リソースプールから、前記第１通信のために使用される前記第１通信リソースを取得するステップ、又は、
前記第１通信リソースの前記使用モードが前記独立モードであり、且つ前記基地局によりブロードキャストされた前記ＳＩＢが、前記第１通信のために使用される第１通信リソースプールを含む場合、前記ユーザ機器により、前記アイドル状態に留まり、前記第１通信のために使用され且つ前記基地局によりブロードキャストされた前記ＳＩＢに含まれる前記第１通信リソースプールから、前記第１通信のために使用される前記第１通信リソースを取得するステップ、を含む。
【０００９】
第１の態様又は第１の態様の第１の可能な実装を参照して、第１の態様の第３の可能な実装では、前記ユーザ機器がＲＲＣアイドル状態である場合に、ＲＲＣ接続状態に入り、前記基地局へ第１通信リソース要求を送信する前記ステップは、
前記第１通信リソースの前記使用モードが前記共有モードであり、前記基地局によりブロードキャストされた前記ＳＩＢが前記第２通信のために使用される第２通信リソースプール又は前記第１通信のために使用される第１通信リソースプールを提供しない場合、前記ユーザ機器により、前記ＲＲＣ接続状態に入り、前記基地局へ前記第１通信リソース要求を送信するステップ、又は、
前記第１通信リソースの前記使用モードが前記独立モードであり、前記基地局によりブロードキャストされた前記ＳＩＢが前記第１通信のために使用される第１通信リソースプールを提供しない場合、前記ユーザ機器により、前記ＲＲＣ接続状態に入り、前記基地局へ前記第１通信リソース要求を送信するステップ、又は、
前記第１通信リソースの前記使用モードが前記独立モードであり、前記基地局によりブロードキャストされた前記ＳＩＢが、前記第２通信のために使用される第２通信リソースプールを含み且つ前記第２通信リソースプールを使用することにより前記第１通信を実行するよう前記ユーザ機器に指示するために使用される指示メッセージを含まない又は前記ユーザ機器が前記第２通信リソースプールを使用することにより前記第１通信を実行できないことを示すために使用される指示メッセージを含む場合、前記ユーザ機器により、前記ＲＲＣ接続状態に入り、前記基地局へ前記第１通信リソース要求を送信するステップ、又は、
前記基地局によりブロードキャストされた前記ＳＩＢが、前記ＲＲＣ接続状態に入るよう及び前記第１通信リソースを取得するために前記基地局へ前記第１通信リソース要求を送信するよう前記ユーザ機器に指示するために使用される指示メッセージを含む場合、前記ユーザ機器により、前記ＲＲＣ接続状態に入り、前記基地局へ前記第１通信リソース要求を送信するステップ、を含む。
【００１０】
第１の態様乃至第１の態様の第３の可能な実装のうちのいずれか１つを参照して、第１の態様の第４の可能な実装では、前記ユーザ機器により、前記基地局へ前記第１通信リソース要求を送信する前記ステップの後に、前記方法は、
前記ユーザ機器により、前記基地局が第１ＲＲＣシグナリング又は第１媒体アクセス制御制御要素ＭＡＣ  ＣＥを使用することにより、前記第２通信のために使用される前記第２通信リソースプールを使用することにより前記第１通信を実行するよう前記ユーザ機器に指示することを示す指示メッセージを受信するステップ、及び、
前記ユーザ機器により、前記第２通信リソースプールから前記第１通信リソースを選択するステップ、又は、
前記ユーザ機器により、前記基地局が第２ＲＲＣシグナリング又は第２ＭＡＣ  ＣＥを使用することにより、前記第１通信リソースを取得するためにサイドリンク無線ネットワーク一時識別子ＳＬ−ＲＮＴＩを再利用するよう前記ユーザ機器に指示することを示す指示メッセージを受信するステップであって、前記ＳＬ−ＲＮＴＩは前記第２通信のために使用される前記第２通信リソースをスケジューリングするために使用されるＲＮＴＩである、ステップ、及び、
前記ユーザ機器により、前記ＳＬ−ＲＮＴＩに従い、前記基地局により割り当てられた前記第２通信リソースを取得し、前記第２通信リソースを前記第１通信リソースとして使用するステップ、を更に含む。
【００１１】
第１の態様乃至第１の態様の第３の可能な実装のうちのいずれか１つを参照して、第１の態様の第５の可能な実装では、前記ユーザ機器により、前記基地局へ前記第１通信リソース要求を送信する前記ステップの後に、前記方法は、
前記ユーザ機器により、第３ＲＲＣシグナリング又は第３媒体アクセス制御制御要素ＭＡＣ  ＣＥを使用することにより前記基地局により前記ユーザ機器へ送信されたリソース拒否メッセージを受信するステップであって、
前記リソース拒否メッセージはリソース拒否指示を含み、前記リソース拒否指示は、前記ユーザ機器が前記第２通信リソースプールを使用することを禁止することを指示するため、及び／又は前記ユーザ機器が前記第２通信のために使用される前記通信リソースをスケジューリングするために使用される割り当てられたＳＬ−ＲＮＴＩを使用することを禁止することを指示するために使用される、ステップ、又は、
前記ユーザ機器が前記基地局のリソース割り当てに関する情報を受信しない場合、前記第１通信が実行できないことを決定するステップ、を更に含む。
【００１２】
第１の態様乃至第１の態様の第５の可能な実装のうちのいずれか１つを参照して、第１の態様の第６の可能な実装では、前記ユーザ機器により、前記基地局へ前記第１通信リソース要求を送信する前記ステップの後に、前記方法は、
前記ユーザ機器により、前記基地局により第４ＲＲＣシグナリング又は第４ＭＡＣ  ＣＥを使用することにより送信された前記第１通信リソースプールを受信するステップ、及び、
前記ユーザ機器により、前記第１通信リソースプールから前記第１通信リソースを選択するステップ、又は、
前記ユーザ機器により、前記基地局により第５ＲＲＣシグナリング又は第５ＭＡＣ  ＣＥを使用することにより送信された新無線ネットワーク一時識別子Ｎｅｗ−ＲＮＴＩを受信するステップであって、前記Ｎｅｗ−ＲＮＴＩは、前記第１通信のために使用される前記通信リソースをスケジューリングするために使用されるＲＮＴＩである、ステップ、及び、
前記ユーザ機器により、前記Ｎｅｗ−ＲＮＴＩに従い前記第１通信リソースを取得するステップ、を更に含む。
【００１３】
第１の態様乃至第１の態様の第６の可能な実装のうちのいずれか１つを参照して、第１の態様の第７の可能な実装では、前記第１通信はユニキャストＤ２Ｄ通信又は中継通信であり、前記第２通信はマルチキャストＤ２Ｄ通信である。
【００１４】
第１の態様乃至第１の態様の第７の可能な実装のうちのいずれか１つを参照して、第１の態様の第８の可能な実装では、前記ユーザ機器はリモートユーザ機器又は中継ユーザ機器である。
【００１５】
本発明の第２の態様は、通信を制御する方法であって、前記通信は第１通信であり、前記方法は、
ユーザ機器により、基地局によりＲＲＣシグナリング又はＭＡＣ  ＣＥを使用することにより送信された情報を受信するステップであって、前記情報は、前記第１通信を停止するよう、又は前記第１通信のために使用されるリソースを使用することを停止するよう、及び／又は前記第１通信のために使用される通信リソースをスケジューリングするために構成されたＮｅｗ−ＲＮＴＩを使用することを停止するよう、及び／又は第２通信のために使用される通信リソースをスケジューリングするために使用される構成されたＳＬ−ＲＮＴＩを使用することを停止するよう、前記ユーザ機器に指示するために使用され、前記第１通信のために使用される前記リソースは、第１通信リソースプール及び第２通信リソースプールを含む、ステップ、及び、
前記情報に従い、前記ユーザ機器により、前記第１通信を停止し、又は前記第１通信のために使用される前記リソースを使用することを停止し、及び／又は前記第１通信のために使用される前記通信リソースをスケジューリングするために使用される前記構成されたＮｅｗ−ＲＮＴＩを使用することを停止し、及び／又は前記第２通信のために使用される前記通信リソースをスケジューリングするために使用される前記構成されたＳＬ−ＲＮＴＩを使用することを停止するステップ、又は、
前記ユーザ機器により、前記基地局によりＰＤＣＣＨ又はｅＰＤＣＣＨを使用することにより送信され且つＳＬ−ＲＮＴＩ又はＮｅｗ−ＲＮＴＩを使用することによりスクランブリングされた許可メッセージを受信するステップであって、前記許可メッセージは、前記第１通信を停止するよう指示するために使用される指示メッセージを含み、前記ＳＬ−ＲＮＴＩは、第２通信のために使用される通信リソースをスケジューリングするために使用されるＲＮＴＩであり、前記Ｎｅｗ−ＲＮＴＩは、前記第１通信のために使用される通信リソースをスケジューリングするために使用されるＲＮＴＩである、ステップ、及び、
前記ユーザ機器により、前記の対応するＳＬ−ＲＮＴＩ又はＮｅｗ−ＲＮＴＩに従い、前記第１通信を停止するよう指示するために使用される前記指示メッセージを取得し、前記第１通信を実行することを停止するステップ、を含む方法を提供する。
【００１６】
第２の態様を参照して、第２の態様の第１の可能な実装では、前記ＭＡＣ  ＣＥは、特定の論理チャネルインデックス識別子のＭＡＣ  ＰＤＵサブヘッダを含み、又は、
前記ＭＡＣ  ＣＥは、第１通信の停止される前記ユーザ機器の識別子、及び／又は前記第１通信を停止するよう前記ユーザ機器に指示するために使用される指示情報、を含む。
【００１７】
第２の態様又は第２の態様の第１の可能な実装を参照して、第２の態様の第２の可能な実装では、前記第１通信はユニキャストＤ２Ｄ通信又は中継通信であり、前記第２通信はマルチキャストＤ２Ｄ通信である。
【００１８】
第２の態様乃至第２の態様の第２の可能な実装のうちのいずれか１つを参照して、第２の態様の第３の可能な実装では、前記ユーザ機器はリモートユーザ機器又は中継ユーザ機器である。
【００１９】
第２の態様乃至第２の態様の第３の可能な実装のうちのいずれか１つを参照して、第２の態様の第４の可能な実装では、前記方法は、
前記ユーザ機器により、前記基地局へ測定イベントを報告するステップであって、前記測定イベントは、前記基地局からの前記ユーザ機器による受信の信号強度及び／又はリンク品質が特定条件を満たすことを示す、ステップ、及び／又は、
前記ユーザ機器により、前記基地局へ測定結果を報告するステップであって、前記測定結果は、ＲＳＲＰ及び／又はＲＳＲＱを含む、ステップ、を更に含む。
【００２０】
本発明の第３の態様は、通信を制御する方法であって、基地局が、第１通信を実行する必要のあるユーザ機器に、前記第１通信のために必要な第１通信リソースを割り当て、
ＲＲＣアイドル状態の前記ユーザ機器がＳＩＢメッセージに従い前記第１通信リソースを取得できるように、前記基地局により、前記第１通信リソースを伝達する前記ＳＩＢメッセージをブロードキャストするステップ、又は、
前記基地局により、ＲＲＣ接続状態の前記ユーザ機器により送信された第１通信リソース要求を受信するステップ、及び、
前記基地局により、前記第１通信リソース要求に従い、前記ＲＲＣ接続状態の前記ユーザ機器に前記第１通信リソースを割り当てるステップ、を含む方法を提供する。
【００２１】
第３の態様を参照して、第３の態様の第１の可能な実装では、基地局が、第１通信を実行する必要のあるユーザ機器に前記第１通信のために必要な第１通信リソースを割り当てることは、
前記基地局により、前記第１通信リソースの使用モードに従い、前記第１通信のために必要な前記第１通信リソースを前記ユーザ機器に割り当てるステップであって、前記第１通信リソースの前記使用モードは共有モード及び独立モードを含み、
前記共有モードは、前記第１通信リソース及び第２通信リソースが共有可能であることを意味し、又は、
前記独立モードは、前記第１通信リソース及び前記第２通信リソースが独立して使用されることを意味し、
前記第１通信リソースの前記使用モードは、プロトコルの中で定められ、又はＲＲＣメッセージを用いて構成され、及び、
前記第２通信リソースは、第２通信が実行されるときに使用される対応する通信リソースである、ステップを含む。
【００２２】
第３の態様又は第３の態様の第１の可能な実装を参照して、第３の態様の第２の可能な実装では、ＲＲＣアイドル状態の前記ユーザ機器がＳＩＢメッセージに従い前記第１通信リソースを取得できるように、前記基地局により、前記第１通信リソースを伝達する前記ＳＩＢメッセージをブロードキャストする前記ステップは、
前記第１通信リソースの前記使用モードが前記共有モードである場合、前記基地局により、第１ＳＩＢをブロードキャストするステップであって、前記第１ＳＩＢは、前記第２通信のために使用される第２通信リソースプールを含み、前記第２通信リソースプールを使用することにより前記第１通信を実行するよう前記ユーザ機器に指示するために使用される指示メッセージを含み、前記第１ＳＩＢは、前記ＲＲＣアイドル状態の前記ユーザ機器が前記アイドル状態に留まり前記第２通信リソースプールから前記第１通信リソースを選択できるようにする、ステップ、又は、
前記第１通信リソースの前記使用モードが前記独立モードである場合、前記基地局により、第２ＳＩＢをブロードキャストするステップであって、前記第２ＳＩＢは、前記第１通信のために使用される第１通信リソースプールを含み、前記第２ＳＩＢは、前記ＲＲＣアイドル状態の前記ユーザ機器が前記第１通信リソースプールから前記第１通信リソースを選択できるようにする、ステップ、を含む。
【００２３】
第３の態様又は第３の態様の第１の可能な実装を参照して、第３の態様の第３の可能な実装では、前記基地局により、前記ＲＲＣ接続状態の前記ユーザ機器により送信された第１通信リソース要求を受信する前記ステップの前に、前記方法は、
前記第１通信リソースの前記使用モードが前記共有モードである場合、前記基地局により、第３ＳＩＢをブロードキャストするステップであって、前記第３ＳＩＢは、前記第２通信のために使用される第２通信リソースプール又は前記第１通信のために使用される第１通信リソースプールを提供せず、前記第３ＳＩＢは、前記ＲＲＣアイドル状態の前記ユーザ機器が前記ＲＲＣ接続状態に入り、前記基地局へ前記第１通信リソース要求を送信できるようにする、ステップ、又は、
前記第１通信リソースの前記使用モードが前記独立モードである場合、前記基地局により、第４ＳＩＢをブロードキャストするステップであって、前記第４ＳＩＢは、前記第１通信のために使用される第１通信リソースプールを提供せず、前記第４ＳＩＢは、前記ＲＲＣアイドル状態の前記ユーザ機器が前記ＲＲＣ接続状態に入り、前記基地局へ前記第１通信リソース要求を送信できるようにする、ステップ、又は、
前記第１通信リソースの前記使用モードが前記独立モードである場合、前記基地局により、第５ＳＩＢをブロードキャストするステップであって、前記第５ＳＩＢは、前記第２通信のために使用される第２通信リソースプールを含み、前記第２通信リソースプールを使用することにより前記第１通信を実行するよう前記ユーザ機器に指示するために使用される指示メッセージを含まず、又は前記ユーザ機器が前記第２通信リソースプールを使用することにより前記第１通信を実行できないことを示すために使用される指示メッセージを含み、前記第５ＳＩＢは、前記ＲＲＣアイドル状態の前記ユーザ機器が前記ＲＲＣ接続状態に入り、前記基地局へ前記第１通信リソース要求を送信できるようにする、ステップ、又は、
前記基地局により、第６ＳＩＢをブロードキャストするステップであって、前記第６ＳＩＢは、前記ＲＲＣ接続状態に入り、前記第１通信リソースを取得するために前記基地局へ前記第１通信リソース要求を送信するよう、前記ユーザ機器に指示するために使用される指示メッセージを含み、前記第６ＳＩＢは、前記ＲＲＣアイドル状態の前記ユーザ機器が、前記ＲＲＣ接続状態に入り、前記基地局へ前記第１通信リソース要求を送信できるようにする、ステップ、を更に含む。
【００２４】
第３の態様乃至第３の態様の第３の可能な実装を参照して、第３の態様の第４の可能な実装では、前記基地局により、前記第１通信リソース要求に従い、前記ＲＲＣ接続状態の前記ユーザ機器に前記第１通信リソースを割り当てる前記ステップは、
前記ユーザ機器が前記第２通信リソースプールから前記第１通信リソースを選択できるように、前記基地局により、前記ユーザ機器へ、第１ＲＲＣシグナリング又は第１媒体アクセス制御制御要素ＭＡＣ  ＣＥを使用することにより、前記第２通信のために使用される前記第２通信リソースプールを使用することにより前記第１通信を実行するよう前記ユーザ機器に指示するために使用される指示メッセージを送信するステップ、又は、
前記ユーザ機器が、ＳＬ−ＲＮＴＩに従い、前記基地局により割り当てられた前記第２通信リソースを取得し、前記第２通信リソースを前記第１通信リソースとして使用できるように、前記基地局により、前記ユーザ機器へ、第２ＲＲＣシグナリング又は第２ＭＡＣ  ＣＥを使用することにより、前記第１通信リソースを取得するためにＳＬ−ＲＮＴＩを再利用するよう前記ユーザ機器に指示するために使用される指示メッセージを送信するステップであって、前記ＳＬ−ＲＮＴＩは前記第２通信のために使用される前記通信リソースをスケジューリングするために使用されるＲＮＴＩである、ステップ、を含む。
【００２５】
第３の態様乃至第３の態様の第３の可能な実装を参照して、第３の態様の第５の可能な実装では、前記基地局により、前記第１通信リソース要求に従い、前記ＲＲＣ接続状態の前記ユーザ機器に前記第１通信リソースを割り当てる前記ステップの前に、前記方法は、
前記基地局により、第３ＲＲＣシグナリング又は第３ＭＡＣ  ＣＥを使用することにより前記ユーザ機器へリソース拒否メッセージを送信するステップであって、前記リソース拒否メッセージはリソース拒否指示を含み、前記リソース拒否指示は、前記ユーザ機器が前記第２通信リソースプールを使用することを禁止することを指示するため、及び／又は前記ユーザ機器が前記第２通信のために使用される前記通信リソースをスケジューリングするために使用される割り当てられたＳＬ−ＲＮＴＩを使用することを禁止することを指示するために使用される、ステップ、又は、
前記ユーザ機器が、前記第１通信が実行できないことを決定できるように、前記基地局により、リソース割り当てに関する情報の送信をスキップするステップ、を更に含む。
【００２６】
第３の態様乃至第３の態様の第５の可能な実装を参照して、第３の態様の第６の可能な実装では、前記基地局により、前記第１通信リソース要求に従い、前記ＲＲＣ接続状態の前記ユーザ機器に前記第１通信リソースを割り当てる前記ステップは、
前記ユーザ機器が前記第１通信リソースプールから前記第１通信リソースを選択できるように、前記基地局により、第４ＲＲＣシグナリング又は第４ＭＡＣ  ＣＥを使用することにより、前記ユーザ機器へ前記第１通信リソースプールを送信するステップ、又は、
前記ユーザ機器がＮｅｗ−ＲＮＴＩに従い前記第１通信リソースを取得できるように、前記基地局により、第５ＲＲＣシグナリング又は第５ＭＡＣ  ＣＥを使用することにより、前記ユーザ機器へ前記Ｎｅｗ−ＲＮＴＩを送信するステップであって、前記Ｎｅｗ−ＲＮＴＩは、前記第１通信のために使用される前記通信リソースをスケジューリングするために使用されるＲＮＴＩである、ステップ、を含む。
【００２７】
第３の態様乃至第３の態様の第６の可能な実装のうちのいずれか１つを参照して、第３の態様の第７の可能な実装では、前記第１通信はユニキャストＤ２Ｄ通信又は中継通信を含み、前記第２通信はマルチキャストＤ２Ｄ通信を含む。
【００２８】
第３の態様乃至第３の態様の第７の可能な実装のうちのいずれか１つを参照して、第３の態様の第８の可能な実装では、前記ユーザ機器はリモートユーザ機器又は中継ユーザ機器である。
【００２９】
本発明の第４の態様は、通信を制御する方法であって、前記通信は第１通信であり、前記方法は、
基地局により、ＲＲＣシグナリング又はＭＡＣ  ＣＥを使用することにより、ユーザ機器へ情報を送信するステップであって、前記情報は、前記第１通信を停止するよう、又は前記第１通信のために使用されるリソースを使用することを停止するよう、及び／又は前記第１通信のために使用される通信リソースをスケジューリングするために使用される構成されたＮｅｗ−ＲＮＴＩを使用することを停止するよう、及び／又は第２通信のために使用される通信リソースをスケジューリングするために使用される構成されたＳＬ−ＲＮＴＩを使用することを停止するよう、前記ユーザ機器に指示するために使用され、前記第１通信のために使用される前記リソースは、第１通信リソースプール及び第２通信リソースプールを含む、ステップ、又は、
ユーザ機器が、対応するＳＬ−ＲＮＴＩ又はＮｅｗ−ＲＮＴＩに従い、前記第１通信を停止するよう指示するために使用される指示メッセージを取得すると、前記第１通信を実行することを停止できるように、前記基地局により、前記ユーザ機器へ、ＰＤＣＣＨ又はｅＰＤＣＣＨを使用することにより、ＳＬ−ＲＮＴＩ又はＮｅｗ−ＲＮＴＩを使用することによりスクランブリングされた許可メッセージを送信するステップであって、前記許可メッセージは、前記第１通信を停止するよう指示するために使用される前記指示メッセージを含み、前記ＳＬ−ＲＮＴＩは、第２通信のために使用される通信リソースをスケジューリングするために使用されるＲＮＴＩであり、前記Ｎｅｗ−ＲＮＴＩは、前記第１通信のために使用される通信リソースをスケジューリングするために使用されるＲＮＴＩである、ステップ、を含む方法を提供する。
【００３０】
第４の態様を参照して、第４の態様の第１の可能な実装では、前記ＭＡＣ  ＣＥは、特定の論理チャネルインデックス識別子のＭＡＣ  ＰＤＵサブヘッダを含み、又は、
前記ＭＡＣ  ＣＥは、第１通信の停止される前記ユーザ機器の識別子、及び／又は前記第１通信を停止するよう前記ユーザ機器に指示するために使用される指示情報、を含む。
【００３１】
第４の態様又は第４の態様の第１の可能な実装を参照して、第４の態様の第２の可能な実装では、前記第１通信はユニキャストＤ２Ｄ通信又は中継通信であり、前記第２通信はマルチキャストＤ２Ｄ通信である。
【００３２】
第４の態様乃至第４の態様の第２の可能な実装のうちのいずれか１つを参照して、第４の態様の第３の可能な実装では、前記ユーザ機器はリモートユーザ機器又は中継ユーザ機器である。
【００３３】
第４の態様乃至第４の態様の第３の可能な実装のうちのいずれか１つを参照して、第４の態様の第４の可能な実装では、前記方法は、
前記基地局により、前記ユーザ機器により報告された測定イベントを受信するステップであって、前記測定イベントは、前記基地局からの前記ユーザ機器による受信の信号強度及び／又はリンク品質が特定条件を満たすことを示す、ステップ、及び／又は、
前記基地局により、前記ユーザ機器により報告された測定結果を受信し、前記測定結果が特定条件を満たすか否かを決定するステップであって、前記測定結果は、ＲＳＲＰ及び／又はＲＳＲＱを含む、ステップ、を更に含む。
【００３４】
本発明の第５の態様は、ユーザ機器であって、前記ユーザ機器は、第１通信を実行する必要のあるとき、基地局から、前記第１通信のために必要な第１通信リソースを取得するよう構成され、前記ユーザ機器は、
前記ユーザ機器がＲＲＣアイドル状態であるとき、前記基地局によりブロードキャストされたシステム情報ブロックＳＩＢを受信することにより、前記第１通信リソースを取得するよう構成される第１取得モジュール、を含み、又は、
前記ユーザ機器は、
前記ユーザ機器がＲＲＣアイドル状態であるとき、ＲＲＣ接続状態に入るよう前記ユーザ機器を制御するよう構成される状態切り換えモジュール、及び、
第１通信リソース要求を前記基地局へ送信するよう構成される送信モジュールであって、前記第１通信リソース要求は、前記基地局に前記第１通信リソースを割り当てることを要求するために使用される、送信モジュール、を含み、又は、
前記送信モジュールは、前記ユーザ機器がＲＲＣ接続状態であるとき、第１通信リソース要求を前記基地局へ送信するよう更に構成される、ユーザ機器を提供する。
【００３５】
第５の態様を参照して、第５の態様の第１の可能な実装では、前記ユーザ機器は、前記第１通信リソースの使用モードに従い、前記第１通信リソースを取得するよう構成され、前記第１通信リソースの前記使用モードは共有モード及び独立モードを含み、
前記共有モードは、前記第１通信リソース及び第２通信リソースが共有可能であることを意味し、又は、
前記独立モードは、前記第１通信リソース及び前記第２通信リソースが独立して使用されることを意味し、
前記第１通信リソースの前記使用モードは、プロトコルの中で定められ、又はＲＲＣメッセージを用いて構成され、及び、
前記第２通信リソースは、第２通信が実行されるときに使用される対応する通信リソースである。
【００３６】
第５の態様又は第５の態様の第１の可能な実装を参照して、第５の態様の第２の可能な実装では、前記第１取得モジュールは、
前記第１通信リソースの前記使用モードが前記共有モードであり、且つ前記基地局によりブロードキャストされた前記ＳＩＢが、前記第２通信のために使用される第２通信リソースプールを含み、及び前記第２通信リソースプールを使用することにより前記第１通信を実行するよう前記ユーザ機器に指示するために使用される指示メッセージを含む場合、前記ユーザ機器が、前記アイドル状態に留まり、前記第２通信のために使用され且つ前記基地局によりブロードキャストされた前記ＳＩＢに含まれる前記第２通信リソースプールから、前記第１通信のために使用される前記第１通信リソースを取得できるにするよう構成される第１取得サブモジュールを含み、又は、
前記第１取得モジュールは、
前記第１通信リソースの前記使用モードが前記独立モードであり、且つ前記基地局によりブロードキャストされた前記ＳＩＢが、前記第１通信のために使用される第１通信リソースプールを含む場合、前記ユーザ機器が、前記アイドル状態に留まり、前記第１通信のために使用され且つ前記基地局によりブロードキャストされた前記ＳＩＢに含まれる前記第１通信リソースプールから、前記第１通信のために使用される前記第１通信リソースを取得できるようにするよう構成される第２取得サブモジュールを含む。
【００３７】
第５の態様又は第５の態様の第１の可能な実装を参照して、第５の態様の第３の可能な実装では、前記状態切り換えモジュールは、具体的に、
前記第１通信リソースの前記使用モードが前記共有モードであり、前記基地局によりブロードキャストされた前記ＳＩＢが、前記第２通信のために使用される第２通信リソースプール又は前記第１通信のために使用される第１通信リソースプールを提供しない場合、前記ＲＲＣ接続状態に入るよう前記ユーザ機器を制御するよう構成され、又は、
前記状態切り換えモジュールは、具体的に、
前記第１通信リソースの前記使用モードが前記独立モードであり、前記基地局によりブロードキャストされた前記ＳＩＢが、前記第１通信のために使用される第１通信リソースプールを提供しない場合、前記ＲＲＣ接続状態に入るよう前記ユーザ機器を制御するよう構成され、又は、
前記状態切り換えモジュールは、具体的に、
前記第１通信リソースの前記使用モードが前記独立モードであり、前記基地局によりブロードキャストされた前記ＳＩＢが、前記第２通信のために使用される第２通信リソースプールを含み、前記第２通信リソースプールを使用することにより前記第１通信を実行するよう前記ユーザ機器に指示するために使用される指示メッセージを含まず、又は前記ユーザ機器が前記第２通信リソースプールを使用することにより前記第１通信を実行できないことを示すために使用される指示メッセージを含む場合、前記ＲＲＣ接続状態に入るよう前記ユーザ機器を制御するよう構成され、又は、
前記状態切り換えモジュールは、具体的に、
前記基地局によりブロードキャストされた前記ＳＩＢが、前記ＲＲＣ接続状態に入るよう及び前記第１通信リソースを取得するために前記基地局へ前記第１通信リソース要求を送信するよう、前記ユーザ機器に指示するために使用される指示メッセージを含む場合、前記ＲＲＣ接続状態に入るよう前記ユーザ機器を制御するよう構成される。
【００３８】
第５の態様乃至第５の態様の第３の可能な実装を参照して、第５の態様の第４の可能な実装では、前記方法は、
前記基地局が第１ＲＲＣシグナリング又は第１媒体アクセス制御制御要素ＭＡＣ  ＣＥを使用することにより、前記第２通信のために使用される前記第２通信リソースプールを使用することにより前記第１通信を実行するよう前記ユーザ機器に指示することを示す指示メッセージを受信するよう構成される第１受信モジュール、及び、
前記第２通信リソースプールから前記第１通信リソースを選択するよう構成される第１選択モジュール、
を更に含み、又は、
前記ユーザ機器は、
前記基地局が第２ＲＲＣシグナリング又は第２ＭＡＣ  ＣＥを使用することにより、前記第１通信リソースを取得するためにサイドリンク無線ネットワーク一時識別子ＳＬ−ＲＮＴＩを再利用するよう前記ユーザ機器に指示することを示す指示メッセージを受信するよう構成される第２受信モジュールであって、前記ＳＬ−ＲＮＴＩは前記第２通信のために使用される前記通信リソースをスケジューリングするために使用されるＲＮＴＩである、第２受信モジュール、及び、
前記ＳＬ−ＲＮＴＩに従い、前記基地局により割り当てられた前記第２通信リソースを取得し、前記第２通信リソースを前記第１通信リソースとして使用するよう構成される第２取得モジュール、を更に含む。
【００３９】
第５の態様乃至第５の態様の第３の可能な実装を参照して、第５の態様の第５の可能な実装では、前記ユーザ機器は、
第３ＲＲＣシグナリング又は第３媒体アクセス制御制御要素ＭＡＣ  ＣＥを使用することにより前記基地局により前記ユーザ機器へ送信されたリソース拒否メッセージを受信するよう構成される第３受信モジュールであって、
前記リソース拒否メッセージはリソース拒否指示を含み、前記リソース拒否指示は、前記ユーザ機器が前記第２通信リソースプールを使用することを禁止することを指示するため、及び／又は前記ユーザ機器が前記第２通信のために使用される前記通信リソースをスケジューリングするために使用される割り当てられたＳＬ−ＲＮＴＩを使用することを禁止することを指示するために使用される、第３受信モジュール、を更に含み、又は、
前記ユーザ機器は、
前記ユーザ機器が前記基地局のリソース割り当てに関する情報を受信しない場合、前記第１通信が実行できないことを決定するよう構成される決定モジュール、を更に含む。
【００４０】
第５の態様乃至第５の態様の第５の可能な実装を参照して、第５の態様の第６の可能な実装では、前記ユーザ機器は、
ＲＲＣシグナリング又はＭＡＣ  ＣＥを使用することにより前記基地局により送信された前記第１通信リソースプールを受信するよう構成される第４受信モジュール、及び、
前記第１通信リソースプールから前記第１通信リソースを選択するよう構成される第２選択モジュール、を更に含み、又は、
前記ユーザ機器は、
第４ＲＲＣシグナリング又は第４ＭＡＣ  ＣＥを使用することにより前記基地局により送信された新無線ネットワーク一時識別子Ｎｅｗ−ＲＮＴＩを受信するよう構成される第５受信モジュールであって、前記Ｎｅｗ−ＲＮＴＩは、前記第１通信のために使用される前記通信リソースをスケジューリングするために使用されるＲＮＴＩである、第５受信モジュール、及び、
前記Ｎｅｗ−ＲＮＴＩに従い前記第１通信リソースを取得するよう構成される第３取得モジュール、を更に含む。
【００４１】
第５の態様乃至第５の態様の第６の可能な実装のうちのいずれか１つを参照して、第５の態様の第７の可能な実装では、前記第１通信はユニキャストＤ２Ｄ通信又は中継通信であり、前記第２通信はマルチキャストＤ２Ｄ通信である。
【００４２】
第５の態様乃至第５の態様の第７の可能な実装のうちのいずれか１つを参照して、第５の態様の第８の可能な実装では、前記ユーザ機器はリモートユーザ機器又は中継ユーザ機器である。
【００４３】
本発明の第６の態様は、ユーザ機器であって、前記ユーザ機器は第１通信を実行するよう構成され、前記ユーザ機器は、
基地局により第５ＲＲＣシグナリング又は第５ＭＡＣ  ＣＥを使用することにより送信された情報を受信するよう構成される受信モジュールであって、前記情報は、前記第１通信を停止するよう、又は前記第１通信のために使用されるリソースを使用することを停止するよう、及び／又は前記第１通信のために使用される通信リソースをスケジューリングするために使用される構成されたＮｅｗ−ＲＮＴＩを使用することを停止するよう、及び／又は第２通信のために使用される通信リソースをスケジューリングするために使用される構成されたＳＬ−ＲＮＴＩを使用することを停止するよう、前記ユーザ機器に指示するために使用され、前記第１通信のために使用される前記リソースは、第１通信リソースプール及び第２通信リソースプールを含む、受信モジュール、及び、
前記情報に従い、前記第１通信を停止し、又は前記第１通信のために使用される前記リソースを使用することを停止し、及び／又は前記第１通信のために使用される前記通信リソースをスケジューリングするために使用される前記構成されたＮｅｗ−ＲＮＴＩを使用することを停止し、及び／又は前記第２通信のために使用される前記通信リソースをスケジューリングするために使用される前記構成されたＳＬ−ＲＮＴＩを使用することを停止するよう構成される通信制御モジュール、又は、
前記基地局によりＰＤＣＣＨ又はｅＰＤＣＣＨを使用することにより送信され且つＳＬ−ＲＮＴＩ又はＮｅｗ−ＲＮＴＩを使用することによりスクランブリングされた許可メッセージを受信するよう構成される前記受信モジュールであって、前記許可メッセージは、前記第１通信を停止するよう指示するために使用される指示メッセージを含み、前記ＳＬ−ＲＮＴＩは、第２通信のために使用される通信リソースをスケジューリングするために使用されるＲＮＴＩであり、前記Ｎｅｗ−ＲＮＴＩは、前記第１通信のために使用される通信リソースをスケジューリングするために使用されるＲＮＴＩである、前記受信モジュール、及び、
前記の対応するＳＬ−ＲＮＴＩ又はＮｅｗ−ＲＮＴＩに従い、前記第１通信を停止するよう指示するために使用される前記指示メッセージを取得し、前記第１通信を実行することを停止するよう構成される前記通信制御モジュール、を含むユーザ機器を提供する。
【００４４】
第６の態様を参照して、第６の態様の第１の可能な実装では、前記ＭＡＣ  ＣＥは、特定の論理チャネルインデックス識別子のＭＡＣ  ＰＤＵサブヘッダを含み、又は、
前記ＭＡＣ  ＣＥは、第１通信の停止される前記ユーザ機器の識別子、及び／又は前記第１通信を停止するよう前記ユーザ機器に指示するために使用される指示情報、を含む。
【００４５】
第６の態様又は第６の態様の第１の可能な実装を参照して、第６の態様の第２の可能な実装では、前記第１通信はユニキャストＤ２Ｄ通信又は中継通信であり、前記第２通信はマルチキャストＤ２Ｄ通信である。
【００４６】
第６の態様乃至第６の態様の第２の可能な実装のうちのいずれか１つを参照して、第６の態様の第３の可能な実装では、前記ユーザ機器はリモートユーザ機器又は中継ユーザ機器である。
【００４７】
第６の態様乃至第６の態様の第３の可能な実装のうちのいずれか１つを参照して、第６の態様の第４の可能な実装では、前記ユーザ機器は、
前記基地局へ測定イベントを報告し、前記測定イベントは、前記基地局からの前記ユーザ機器による受信の信号強度及び／又はリンク品質が特定条件を満たすことを示し、及び／又は、
前記基地局へ測定結果を報告し、前記測定結果はＲＳＲＰ及び／又はＲＳＲＱを含む、送信モジュールを更に含む。
【００４８】
本発明の第７の態様は、基地局であって、前記基地局は、第１通信を実行する必要のあるユーザ機器に、前記第１通信のために必要な第１通信リソースを割り当てるよう構成され、前記基地局は、
ＲＲＣアイドル状態の前記ユーザ機器がＳＩＢに従い前記第１通信リソースを取得できるように、前記第１通信リソースを伝達する前記ＳＩＢをブロードキャストするよう構成される送信モジュールを含み、又は、
前記基地局は、
ＲＲＣ接続状態の前記ユーザ機器により送信された第１通信リソース要求を受信するよう構成される受信モジュール、及び、
前記第１通信リソース要求に従い、前記ＲＲＣ接続状態の前記ユーザ機器に前記第１通信リソースを割り当てるよう構成される割り当てモジュール、を含む、基地局を提供する。
【００４９】
第７の態様を参照して、第７の態様の第１の可能な実装では、基地局が、第１通信を実行する必要のあるユーザ機器に前記第１通信のために必要な第１通信リソースを割り当てることは、
前記基地局により、前記第１通信リソースの使用モードに従い、前記第１通信のために必要な前記第１通信リソースを前記ユーザ機器に割り当てることを含み、前記第１通信リソースの前記使用モードは共有モード及び独立モードを含み、
前記共有モードは、前記第１通信リソース及び第２通信リソースが共有可能であることを意味し、又は、
前記独立モードは、前記第１通信リソース及び前記第２通信リソースが独立して使用されることを意味し、
前記第１通信リソースの前記使用モードは、プロトコルの中で定められ、又はＲＲＣメッセージを用いて構成され、及び、
前記第２通信リソースは、第２通信が実行されるときに使用される対応する通信リソースである。
【００５０】
第７の態様又は第７の態様の第１の可能な実装を参照して、第７の態様の第２の可能な実装では、前記送信モジュールは、具体的に、前記第１通信リソースの前記使用モードが前記共有モードである場合、第１ＳＩＢをブロードキャストするよう構成され、前記第１ＳＩＢは、前記第２通信のために使用される第２通信リソースプールを含み、前記第２通信リソースプールを使用することにより前記第１通信を実行するよう前記ユーザ機器に指示するために使用される指示メッセージを含み、前記第１ＳＩＢは、前記ＲＲＣアイドル状態の前記ユーザ機器が前記ＲＲＣアイドル状態に留まり前記第２通信リソースプールから前記第１通信リソースを選択できるようにする、又は、
前記送信モジュールは、具体的に、
前記第１通信リソースの前記使用モードが前記独立モードである場合、第２ＳＩＢをブロードキャストするよう構成され、前記第２ＳＩＢは、前記第１通信のために使用される第１通信リソースプールを含み、前記第２ＳＩＢは、前記ＲＲＣアイドル状態の前記ユーザ機器が前記ＲＲＣアイドル状態に留まり前記第１通信リソースプールから前記第１通信リソースを選択できるようにする。
【００５１】
第７の態様又は第７の態様の第１の可能な実装を参照して、第７の態様の第３の可能な実装では、前記送信モジュールは、前記第１通信リソースの前記使用モードが前記共有モードである場合、第３ＳＩＢをブロードキャストするよう更に構成され、前記第３ＳＩＢは、前記第２通信のために使用される第２通信リソースプール又は前記第１通信のために使用される第１通信リソースプールを提供せず、前記第３ＳＩＢは、前記ＲＲＣアイドル状態の前記ユーザ機器が前記ＲＲＣ接続状態に入り、前記基地局へ前記第１通信リソース要求を送信できるようにする、又は、
前記送信モジュールは、
前記第１通信リソースの前記使用モードが前記独立モードである場合、第４ＳＩＢをブロードキャストするよう更に構成され、前記第４ＳＩＢは、前記第１通信のために使用される第１通信リソースプールを提供せず、前記第４ＳＩＢは、前記ＲＲＣアイドル状態の前記ユーザ機器が前記ＲＲＣ接続状態に入り、前記基地局へ前記第１通信リソース要求を送信できるようにする、又は、
前記送信モジュールは、
前記第１通信リソースの前記使用モードが前記独立モードである場合、第５ＳＩＢをブロードキャストするよう更に構成され、前記第５ＳＩＢは、前記第２通信のために使用される第２通信リソースプールを含み、前記第２通信リソースプールを使用することにより前記第１通信を実行するよう前記ユーザ機器に指示するために使用される指示メッセージを含まず、又は前記ユーザ機器が前記第２通信リソースプールを使用することにより前記第１通信を実行できないことを示すために使用される指示メッセージを含み、前記第５ＳＩＢは、前記ＲＲＣアイドル状態の前記ユーザ機器が前記ＲＲＣ接続状態に入り、前記基地局へ前記第１通信リソース要求を送信できるようにする、又は、
前記送信モジュールは、
第６ＳＩＢをブロードキャストするよう更に構成され、前記第６ＳＩＢは、前記ＲＲＣ接続状態に入り、前記第１通信リソースを取得するために前記基地局へ前記第１通信リソース要求を送信するよう、前記ユーザ機器に指示するために使用される指示メッセージを含み、前記第６ＳＩＢは、前記ＲＲＣアイドル状態の前記ユーザ機器が、前記ＲＲＣ接続状態に入り、前記基地局へ前記第１通信リソース要求を送信できるようにする。
【００５２】
第７の態様乃至第７の態様の第３の可能な実装を参照して、第７の態様の第４の可能な実装では、前記割り当てモジュールは、
前記ユーザ機器が前記第２通信リソースプールから前記第１通信リソースを選択できるように、前記ユーザ機器へ、第１ＲＲＣシグナリング又は第１媒体アクセス制御制御要素ＭＡＣ  ＣＥを使用することにより、前記第２通信のために使用される前記第２通信リソースプールを使用することにより前記第１通信を実行するよう前記ユーザ機器に指示するために使用される指示メッセージを送信するよう構成される第１送信ユニットを含み、又は、
前記割り当てモジュールは、
前記ユーザ機器が、ＳＬ−ＲＮＴＩに従い、前記基地局により割り当てられた前記第２通信リソースを取得し、前記第２通信リソースを前記第１通信リソースとして使用できるように、前記ユーザ機器へ、第２ＲＲＣシグナリング又は第２ＭＡＣ  ＣＥを使用することにより、前記第１通信リソースを取得するためにＳＬ−ＲＮＴＩを再利用するよう前記ユーザ機器に指示するために使用される指示メッセージを送信するよう構成される第２送信ユニットであって、前記ＳＬ−ＲＮＴＩは前記第２通信のために使用される前記通信リソースをスケジューリングするために使用されるＲＮＴＩである、第２送信ユニットを含む。
【００５３】
第７の態様乃至第７の態様の第３の可能な実装を参照して、第７の態様の第５の可能な実装では、前記送信モジュールは、
第３ＲＲＣシグナリング又は第３ＭＡＣ  ＣＥを使用することにより前記ユーザ機器へリソース拒否メッセージを送信するよう更に構成され、前記リソース拒否メッセージはリソース拒否指示を含み、前記リソース拒否指示は、前記ユーザ機器が前記第２通信リソースプールを使用することを禁止することを指示するため、及び／又は前記ユーザ機器が前記第２通信のために使用される前記通信リソースをスケジューリングするために使用される割り当てられたＳＬ−ＲＮＴＩを使用することを禁止することを指示するために使用される、又は、
前記ユーザ機器が前記第１通信は実行できないことを決定できるように、前記送信モジュールは、リソース割り当てに関する情報の送信をスキップするよう制御される。
【００５４】
第７の態様乃至第７の態様の第５の可能な実装を参照して、第７の態様の第６の可能な実装では、前記割り当てモジュールは、
前記ユーザ機器が前記第１通信リソースプールから前記第１通信リソースを選択できるように、第４ＲＲＣシグナリング又は第４ＭＡＣ  ＣＥを使用することにより、前記ユーザ機器へ前記第１通信リソースプールを送信するよう構成される第３送信ユニットを含み、又は、
前記割り当てモジュールは、
前記ユーザ機器がＮｅｗ−ＲＮＴＩに従い前記第１通信リソースを取得できるように、第５ＲＲＣシグナリング又は第５ＭＡＣ  ＣＥを使用することにより、前記ユーザ機器へ前記Ｎｅｗ−ＲＮＴＩを送信するよう構成される第４送信ユニットであって、前記Ｎｅｗ−ＲＮＴＩは、前記第１通信のために使用される前記通信リソースをスケジューリングするために使用されるＲＮＴＩである、第４送信ユニットを含む。
【００５５】
第７の態様乃至第７の態様の第６の可能な実装のうちのいずれか１つを参照して、第７の態様の第７の可能な実装では、前記第１通信はユニキャストＤ２Ｄ通信又は中継通信を含み、前記第２通信はマルチキャストＤ２Ｄ通信を含む。
【００５６】
第７の態様乃至第７の態様の第７の可能な実装のうちのいずれか１つを参照して、第７の態様の第８の可能な実装では、前記ユーザ機器はリモートユーザ機器又は中継ユーザ機器である。
【００５７】
本発明の第８の態様は、基地局であって、前記基地局は第１通信を制御するよう構成され、前記基地局は、
ＲＲＣシグナリング又はＭＡＣ  ＣＥを使用することにより、ユーザ機器へ情報を送信するよう構成される第１送信モジュールであって、前記情報は、前記第１通信を停止するよう、又は前記第１通信のために使用されるリソースを使用することを停止するよう、及び／又は前記第１通信のために使用される通信リソースをスケジューリングするために使用される構成されたＮｅｗ−ＲＮＴＩを使用することを停止するよう、及び／又は第２通信のために使用される通信リソースをスケジューリングするために使用される構成されたＳＬ−ＲＮＴＩを使用することを停止するよう、前記ユーザ機器に指示するために使用され、前記第１通信のために使用される前記リソースは、第１通信リソースプール及び第２通信リソースプールを含む、第１送信モジュールを含み、又は、
前記基地局は、
ユーザ機器が、対応するＳＬ−ＲＮＴＩ又はＮｅｗ−ＲＮＴＩに従い、前記第１通信を停止するよう指示するために使用される指示メッセージを取得すると、前記第１通信を実行することを停止できるように、前記ユーザ機器へ、ＰＤＣＣＨ又はｅＰＤＣＣＨを使用することにより、ＳＬ−ＲＮＴＩ又はＮｅｗ−ＲＮＴＩを使用することによりスクランブリングされた許可メッセージを送信するよう構成される第２送信モジュールであって、前記許可メッセージは、前記第１通信を停止するよう指示するために使用される前記指示メッセージを含み、前記ＳＬ−ＲＮＴＩは、第２通信のために使用される通信リソースをスケジューリングするために使用されるＲＮＴＩであり、前記Ｎｅｗ−ＲＮＴＩは、前記第１通信のために使用される通信リソースをスケジューリングするために使用されるＲＮＴＩである、第２送信モジュールを含む、基地局を提供する。
【００５８】
第８の態様を参照して、第８の態様の第１の可能な実装では、前記ＭＡＣ  ＣＥは、特定の論理チャネルインデックス識別子のＭＡＣ  ＰＤＵサブヘッダを含み、又は、
前記ＭＡＣ  ＣＥは、第１通信の停止される前記ユーザ機器の識別子、及び／又は前記第１通信を停止するよう前記ユーザ機器に指示するために使用される指示情報、を含む。
【００５９】
第８の態様又は第８の態様の第１の可能な実装を参照して、第８の態様の第２の可能な実装では、前記第１通信はユニキャストＤ２Ｄ通信又は中継通信であり、前記第２通信はマルチキャストＤ２Ｄ通信である。
【００６０】
第８の態様乃至第８の態様の第２の可能な実装のうちのいずれか１つを参照して、第８の態様の第３の可能な実装では、前記ユーザ機器はリモートユーザ機器又は中継ユーザ機器である。
【００６１】
第８の態様乃至第８の態様の第３の可能な実装のうちのいずれか１つを参照して、第８の態様の第４の可能な実装では、前記基地局は、
前記ユーザ機器により報告された測定イベントを受信し、前記測定イベントは、前記基地局からの前記ユーザ機器による受信の信号強度及び／又はリンク品質が特定条件を満たすことを示し、及び／又は、
前記ユーザ機器により報告された測定結果を受信し、前記測定結果が特定条件を満たすか否かを決定し、前記測定結果は、ＲＳＲＰ及び／又はＲＳＲＱを含む、受信モジュールを更に含む。
【００６２】
本発明の第９の態様は、ユーザ機器であって、前記ユーザ機器は、第１通信を実行する必要のあるとき、基地局から、前記第１通信のために必要な第１通信リソースを取得するよう構成され、前記ユーザ機器は、
前記ユーザ機器がＲＲＣアイドル状態であるとき、前記基地局によりブロードキャストされたシステム情報ブロックＳＩＢを受信することにより、前記第１通信リソースを取得するよう構成されるプロセッサ、を含み、又は、
前記プロセッサは、
前記ユーザ機器がＲＲＣアイドル状態であるとき、ＲＲＣ接続状態に入るよう前記ユーザ機器を制御するよう更に構成され、及び、
前記ユーザ機器は、第１通信リソース要求を前記基地局へ送信するよう構成される送信機であって、前記第１通信リソース要求は、前記基地局に前記第１通信リソースを割り当てることを要求するために使用される、送信機、を更に含み、又は、
前記送信機は、前記ユーザ機器がＲＲＣ接続状態であるとき、第１通信リソース要求を前記基地局へ送信するよう更に構成される、ユーザ機器を提供する。
【００６３】
第９の態様を参照して、第９の態様の第１の可能な実装では、前記ユーザ機器は、前記第１通信リソースの使用モードに従い、前記第１通信リソースを取得するよう構成され、前記第１通信リソースの前記使用モードは共有モード及び独立モードを含み、
前記共有モードは、前記第１通信リソース及び第２通信リソースが共有可能であることを意味し、又は、
前記独立モードは、前記第１通信リソース及び前記第２通信リソースが独立して使用されることを意味し、
前記第１通信リソースの前記使用モードは、プロトコルの中で定められ、又はＲＲＣメッセージを用いて構成され、及び、
前記第２通信リソースは、第２通信が実行されるときに使用される対応する通信リソースである。
【００６４】
第９の態様又は第９の態様の第１の可能な実装を参照して、第９の態様の第２の可能な実装では、前記プロセッサは、前記第１通信リソースの前記使用モードが前記共有モードであり、且つ前記基地局によりブロードキャストされた前記ＳＩＢが、前記第２通信のために使用される第２通信リソースプールを含み、及び前記第２通信リソースプールを使用することにより前記第１通信を実行するよう前記ユーザ機器に指示するために使用される指示メッセージを含む場合、前記ユーザ機器が、前記アイドル状態に留まり、前記第２通信のために使用され且つ前記基地局によりブロードキャストされた前記ＳＩＢに含まれる前記第２通信リソースプールから、前記第１通信のために使用される前記第１通信リソースを取得できるにするよう構成され、又は、
前記プロセッサは、前記第１通信リソースの前記使用モードが前記独立モードであり、且つ前記基地局によりブロードキャストされた前記ＳＩＢが、前記第１通信のために使用される第１通信リソースプールを含む場合、前記ユーザ機器が、前記アイドル状態に留まり、前記第１通信のために使用され且つ前記基地局によりブロードキャストされた前記ＳＩＢに含まれる前記第１通信リソースプールから、前記第１通信のために使用される前記第１通信リソースを取得できるようにするよう更に構成される。
【００６５】
第９の態様又は第９の態様の第１の可能な実装を参照して、第９の態様の第３の可能な実装では、前記プロセッサは、
前記第１通信リソースの前記使用モードが前記共有モードであり、前記基地局によりブロードキャストされた前記ＳＩＢが、前記第２通信のために使用される第２通信リソースプール又は前記第１通信のために使用される第１通信リソースプールを提供しない場合、前記ＲＲＣ接続状態に入るよう前記ユーザ機器を制御するよう更に構成され、又は、
前記プロセッサは、
前記第１通信リソースの前記使用モードが前記独立モードであり、前記基地局によりブロードキャストされた前記ＳＩＢが、前記第１通信のために使用される第１通信リソースプールを提供しない場合、前記ＲＲＣ接続状態に入るよう前記ユーザ機器を制御するよう更に構成され、又は、
前記プロセッサは、
前記第１通信リソースの前記使用モードが前記独立モードであり、前記基地局によりブロードキャストされた前記ＳＩＢが、前記第２通信のために使用される第２通信リソースプールを含み、前記第２通信リソースプールを使用することにより前記第１通信を実行するよう前記ユーザ機器に指示するために使用される指示メッセージを含まず、又は前記ユーザ機器が前記第２通信リソースプールを使用することにより前記第１通信を実行できないことを示すために使用される指示メッセージを含む場合、前記ＲＲＣ接続状態に入るよう前記ユーザ機器を制御するよう更に構成され、又は、
前記プロセッサは、
前記基地局によりブロードキャストされた前記ＳＩＢが、前記ＲＲＣ接続状態に入るよう及び前記第１通信リソースを取得するために前記基地局へ前記第１通信リソース要求を送信するよう、前記ユーザ機器に指示するために使用される指示メッセージを含む場合、前記ＲＲＣ接続状態に入るよう前記ユーザ機器を制御するよう更に構成される。
【００６６】
第９の態様乃至第９の態様の第３の可能な実装を参照して、第９の態様の第４の可能な実装では、前記ユーザ機器は、受信機を更に含み、
前記受信機は、前記基地局が第１ＲＲＣシグナリング又は第１媒体アクセス制御制御要素ＭＡＣ  ＣＥを使用することにより、前記第２通信のために使用される前記第２通信リソースプールを使用することにより前記第１通信を実行するよう前記ユーザ機器に指示することを示す指示メッセージを受信するよう構成され、及び、
前記プロセッサは、前記第２通信リソースプールから前記第１通信リソースを選択するよう更に構成される、又は、
前記受信機は、
前記基地局が第２ＲＲＣシグナリング又は第２ＭＡＣ  ＣＥを使用することにより、前記第１通信リソースを取得するためにサイドリンク無線ネットワーク一時識別子ＳＬ−ＲＮＴＩを再利用するよう前記ユーザ機器に指示することを示す指示メッセージを受信するよう更に構成され、前記ＳＬ−ＲＮＴＩは前記第２通信のために使用される前記通信リソースをスケジューリングするために使用されるＲＮＴＩであり、及び、
前記プロセッサは、前記ＳＬ−ＲＮＴＩに従い、前記基地局により割り当てられた前記第２通信リソースを受信し、前記第２通信リソースを前記第１通信リソースとして使用するよう更に構成される。
【００６７】
第９の態様乃至第９の態様の第３の可能な実装を参照して、第９の態様の第５の可能な実装では、前記受信機は、第３ＲＲＣシグナリング又は第３媒体アクセス制御制御要素ＭＡＣ  ＣＥを使用することにより前記基地局により前記ユーザ機器へ送信されたリソース拒否メッセージを受信するよう構成され、
前記リソース拒否メッセージはリソース拒否指示を含み、前記リソース拒否指示は、前記ユーザ機器が前記第２通信リソースプールを使用することを禁止することを指示するため、及び／又は前記ユーザ機器が前記第２通信のために使用される前記通信リソースをスケジューリングするために使用される割り当てられたＳＬ−ＲＮＴＩを使用することを禁止することを指示するために使用され、及び、
前記プロセッサは、前記受信機が前記基地局のリソース割り当てに関する情報を受信しない場合、前記第１通信が実行できないことを決定するよう更に構成される。
【００６８】
第９の態様乃至第９の態様の第５の可能な実装を参照して、第９の態様の第６の可能な実装では、前記受信機は、ＲＲＣシグナリング又はＭＡＣ  ＣＥを使用することにより前記基地局により送信された前記第１通信リソースプールを受信するよう更に構成され、及び、
前記プロセッサは、前記第１通信リソースプールから前記第１通信リソースを選択するよう更に構成され、又は、
前記受信機は、第４ＲＲＣシグナリング又は第４ＭＡＣ  ＣＥを使用することにより前記基地局により送信された新無線ネットワーク一時識別子Ｎｅｗ−ＲＮＴＩを受信するよう更に構成され、前記Ｎｅｗ−ＲＮＴＩは、前記第１通信のために使用される前記通信リソースをスケジューリングするために使用されるＲＮＴＩであり、及び、
前記プロセッサは、前記Ｎｅｗ−ＲＮＴＩに従い前記第１通信リソースを取得するよう更に構成される。
【００６９】
第９の態様乃至第９の態様の第６の可能な実装のうちのいずれか１つを参照して、第９の態様の第７の可能な実装では、前記第１通信はユニキャストＤ２Ｄ通信又は中継通信であり、前記第２通信はマルチキャストＤ２Ｄ通信である。
【００７０】
第９の態様乃至第９の態様の第７の可能な実装のうちのいずれか１つを参照して、第９の態様の第８の可能な実装では、前記ユーザ機器はリモートユーザ機器又は中継ユーザ機器である。
【００７１】
本発明の第１０の態様は、ユーザ機器であって、前記ユーザ機器は第１通信を実行するよう構成され、前記ユーザ機器は、受信機とプロセッサとを含み、
前記受信機は、基地局により第５ＲＲＣシグナリング又は第５ＭＡＣ  ＣＥを使用することにより送信された情報を受信するよう構成され、前記情報は、前記第１通信を停止するよう、又は前記第１通信のために使用されるリソースを使用することを停止するよう、及び／又は前記第１通信のために使用される通信リソースをスケジューリングするために使用される構成されたＮｅｗ−ＲＮＴＩを使用することを停止するよう、及び／又は第２通信のために使用される通信リソースをスケジューリングするために使用される構成されたＳＬ−ＲＮＴＩを使用することを停止するよう、前記ユーザ機器に指示するために使用され、前記第１通信のために使用される前記リソースは、第１通信リソースプール及び第２通信リソースプールを含み、及び、
前記プロセッサは、前記情報に従い、前記第１通信を停止し、又は前記第１通信のために使用される前記リソースを使用することを停止し、及び／又は前記第１通信のために使用される前記通信リソースをスケジューリングするために使用される前記構成されたＮｅｗ−ＲＮＴＩを使用することを停止し、及び／又は前記第２通信のために使用される前記通信リソースをスケジューリングするために使用される前記構成されたＳＬ−ＲＮＴＩを使用することを停止するよう構成され、又は、
前記受信機は、前記基地局によりＰＤＣＣＨ又はｅＰＤＣＣＨを使用することにより送信され且つＳＬ−ＲＮＴＩ又はＮｅｗ−ＲＮＴＩを使用することによりスクランブリングされた許可メッセージを受信するよう構成され、前記許可メッセージは、前記第１通信を停止するよう指示するために使用される指示メッセージを含み、前記ＳＬ−ＲＮＴＩは、第２通信のために使用される通信リソースをスケジューリングするために使用されるＲＮＴＩであり、前記Ｎｅｗ−ＲＮＴＩは、前記第１通信のために使用される通信リソースをスケジューリングするために使用されるＲＮＴＩであり、及び、
前記プロセッサは、前記の対応するＳＬ−ＲＮＴＩ又はＮｅｗ−ＲＮＴＩに従い、前記第１通信を停止するよう指示するために使用される前記指示メッセージを取得すると、前記第１通信を実行することを停止するよう構成される、ユーザ機器を提供する。
【００７２】
第１０の態様を参照して、第１０の態様の第１の可能な実装では、前記ＭＡＣ  ＣＥは、特定の論理チャネルインデックス識別子のＭＡＣ  ＰＤＵサブヘッダを含み、又は、
前記ＭＡＣ  ＣＥは、第１通信の停止される前記ユーザ機器の識別子、及び／又は前記第１通信を停止するよう前記ユーザ機器に指示するために使用される指示情報、を含む。
【００７３】
第１０の態様又は第１０の態様の第１の可能な実装を参照して、第１０の態様の第２の可能な実装では、前記第１通信はユニキャストＤ２Ｄ通信又は中継通信であり、前記第２通信はマルチキャストＤ２Ｄ通信である。
【００７４】
第１０の態様乃至第１０の態様の第２の可能な実装のうちのいずれか１つを参照して、第１０の態様の第３の可能な実装では、前記ユーザ機器はリモートユーザ機器又は中継ユーザ機器である。
【００７５】
第１０の態様乃至第１０の態様の第３の可能な実装のうちのいずれか１つを参照して、第１０の態様の第４の可能な実装では、前記ユーザ機器は、
前記基地局へ測定イベントを報告し、前記測定イベントは、前記基地局からの前記ユーザ機器による受信の信号強度及び／又はリンク品質が特定条件を満たすことを示し、及び／又は、
前記基地局へ測定結果を報告し、前記測定結果はＲＳＲＰ及び／又はＲＳＲＱを含む、送信機を更に含む。
【００７６】
本発明の第１１の態様は、基地局であって、前記基地局は、第１通信を実行する必要のあるユーザ機器に、前記第１通信のために必要な第１通信リソースを割り当てるよう構成され、前記基地局は、
ＲＲＣアイドル状態の前記ユーザ機器がＳＩＢに従い前記第１通信リソースを取得できるように、前記第１通信リソースを伝達する前記ＳＩＢをブロードキャストするよう構成される送信機を含み、又は、
前記基地局は、
ＲＲＣ接続状態の前記ユーザ機器により送信された第１通信リソース要求を受信するよう構成される受信機、及び、
前記第１通信リソース要求に従い、前記ＲＲＣ接続状態の前記ユーザ機器に前記第１通信リソースを割り当てるよう構成されるプロセッサ、を含む、基地局を提供する。
【００７７】
第１１の態様を参照して、第１１の態様の第１の可能な実装では、前記基地局は、前記第１通信リソースの使用モードに従い、前記第１通信のために必要な前記第１通信リソースを前記ユーザ機器に割り当て、前記第１通信リソースの前記使用モードは共有モード及び独立モードを含み、
前記共有モードは、前記第１通信リソース及び前記第２通信リソースが共有可能であることを意味し、又は、
前記独立モードは、前記第１通信リソース及び前記第２通信リソースが独立して使用されることを意味し、
前記第１通信リソースの前記使用モードは、プロトコルの中で定められ、又はＲＲＣメッセージを用いて構成され、及び、
前記第２通信リソースは、第２通信が実行されるときに使用される対応する通信リソースである。
【００７８】
第１１の態様又は第１１の態様の第１の可能な実装を参照して、第１１の態様の第２の可能な実装では、前記送信機は、前記第１通信リソースの前記使用モードが前記共有モードである場合、第１ＳＩＢをブロードキャストするよう更に構成され、前記第１ＳＩＢは、前記第２通信のために使用される第２通信リソースプールを含み、前記第２通信リソースプールを使用することにより前記第１通信を実行するよう前記ユーザ機器に指示するために使用される指示メッセージを含み、前記第１ＳＩＢは、前記ＲＲＣアイドル状態の前記ユーザ機器が前記ＲＲＣアイドル状態に留まり前記第２通信リソースプールから前記第１通信リソースを選択できるようにする、又は、
前記送信機は、
前記第１通信リソースの前記使用モードが前記独立モードである場合、第２ＳＩＢをブロードキャストするよう構成され、前記第２ＳＩＢは、前記第１通信のために使用される第１通信リソースプールを含み、前記第２ＳＩＢは、前記ＲＲＣアイドル状態の前記ユーザ機器が前記ＲＲＣアイドル状態に留まり前記第１通信リソースプールから前記第１通信リソースを選択できるようにする。
【００７９】
第１１の態様又は第１１の態様の第１の可能な実装を参照して、第１１の態様の第３の可能な実装では、前記送信機は、前記第１通信リソースの前記使用モードが前記共有モードである場合、第３ＳＩＢをブロードキャストするよう更に構成され、前記第３ＳＩＢは、前記第２通信のために使用される第２通信リソースプール又は前記第１通信のために使用される第１通信リソースプールを提供せず、前記第３ＳＩＢは、前記ＲＲＣアイドル状態の前記ユーザ機器が前記ＲＲＣ接続状態に入り、前記基地局へ前記第１通信リソース要求を送信できるようにする、又は、
前記送信機は、
前記第１通信リソースの前記使用モードが前記独立モードである場合、第４ＳＩＢをブロードキャストするよう更に構成され、前記第４ＳＩＢは、前記第１通信のために使用される第１通信リソースプールを提供せず、前記第４ＳＩＢは、前記ＲＲＣアイドル状態の前記ユーザ機器が前記ＲＲＣ接続状態に入り、前記基地局へ前記第１通信リソース要求を送信できるようにする、又は、
前記送信機は、
前記第１通信リソースの前記使用モードが前記独立モードである場合、第５ＳＩＢをブロードキャストするよう更に構成され、前記第５ＳＩＢは、前記第２通信のために使用される第２通信リソースプールを含み、前記第２通信リソースプールを使用することにより前記第１通信を実行するよう前記ユーザ機器に指示するために使用される指示メッセージを含まず、又は前記ユーザ機器が前記第２通信リソースプールを使用することにより前記第１通信を実行できないことを示すために使用される指示メッセージを含み、前記第５ＳＩＢは、前記ＲＲＣアイドル状態の前記ユーザ機器が前記ＲＲＣ接続状態に入り、前記基地局へ前記第１通信リソース要求を送信できるようにする、又は、
前記送信機は、
第６ＳＩＢをブロードキャストするよう更に構成され、前記第６ＳＩＢは、前記ＲＲＣ接続状態に入り、前記第１通信リソースを取得するために前記基地局へ前記第１通信リソース要求を送信するよう、前記ユーザ機器に指示するために使用される指示メッセージを含み、前記第６ＳＩＢは、前記ＲＲＣアイドル状態の前記ユーザ機器が、前記ＲＲＣ接続状態に入り、前記基地局へ前記第１通信リソース要求を送信できるようにする。
【００８０】
第１１の態様乃至第１１の態様の第３の可能な実装を参照して、第１１の態様の第４の可能な実装では、前記送信機は、
前記ユーザ機器が前記第２通信リソースプールから前記第１通信リソースを選択できるように、前記ユーザ機器へ、第１ＲＲＣシグナリング又は第１媒体アクセス制御制御要素ＭＡＣ  ＣＥを使用することにより、前記第２通信のために使用される前記第２通信リソースプールを使用することにより前記第１通信を実行するよう前記ユーザ機器に指示するために使用される指示メッセージを送信するよう更に構成される、又は、
前記送信機は、前記ユーザ機器が、ＳＬ−ＲＮＴＩに従い、前記基地局により割り当てられた前記第２通信リソースを取得し、前記第２通信リソースを前記第１通信リソースとして使用できるように、前記ユーザ機器へ、第２ＲＲＣシグナリング又は第２ＭＡＣ  ＣＥを使用することにより、前記第１通信リソースを取得するためにＳＬ−ＲＮＴＩを再利用するよう前記ユーザ機器に指示するために使用される指示メッセージを送信するよう更に構成され、前記ＳＬ−ＲＮＴＩは前記第２通信のために使用される前記通信リソースをスケジューリングするために使用されるＲＮＴＩである。
【００８１】
第１１の態様乃至第１１の態様の第３の可能な実装を参照して、第１１の態様の第５の可能な実装では、前記送信機は、
第３ＲＲＣシグナリング又は第３ＭＡＣ  ＣＥを使用することにより前記ユーザ機器へリソース拒否メッセージを送信するよう更に構成され、前記リソース拒否メッセージはリソース拒否指示を含み、前記リソース拒否指示は、前記ユーザ機器が前記第２通信リソースプールを使用することを禁止することを指示するため、及び／又は前記ユーザ機器が前記第２通信のために使用される前記通信リソースをスケジューリングするために使用される割り当てられたＳＬ−ＲＮＴＩを使用することを禁止することを指示するために使用される、又は、
前記送信機は、前記ユーザ機器が前記第１通信は実行できないことを決定できるように、前記送信モジュールは、リソース割り当てに関する情報の送信をスキップするよう前記プロセッサにより制御されるよう更に構成される。
【００８２】
第１１の態様乃至第１１の態様の第５の可能な実装を参照して、第１１の態様の第６の可能な実装では、前記送信機は、前記ユーザ機器が前記第１通信リソースプールから前記第１通信リソースを選択できるように、第４ＲＲＣシグナリング又は第４ＭＡＣ  ＣＥを使用することにより、前記ユーザ機器へ前記第１通信リソースプールを送信するよう更に構成され、又は、
前記送信機は、前記ユーザ機器がＮｅｗ−ＲＮＴＩに従い前記第１通信リソースを取得できるように、第５ＲＲＣシグナリング又は第５ＭＡＣ  ＣＥを使用することにより、前記ユーザ機器へ前記Ｎｅｗ−ＲＮＴＩを送信するよう更に構成され、前記Ｎｅｗ−ＲＮＴＩは、前記第１通信のために使用される前記通信リソースをスケジューリングするために使用されるＲＮＴＩである。
【００８３】
第１１の態様乃至第１１の態様の第６の可能な実装のうちのいずれか１つを参照して、第１１の態様の第７の可能な実装では、前記第１通信はユニキャストＤ２Ｄ通信又は中継通信を含み、前記第２通信はマルチキャストＤ２Ｄ通信を含む。
【００８４】
第１１の態様乃至第１１の態様の第７の可能な実装のうちのいずれか１つを参照して、第１１の態様の第８の可能な実装では、前記ユーザ機器はリモートユーザ機器又は中継ユーザ機器である。
【００８５】
本発明の第１２の態様は、基地局であって、前記基地局は第１通信を制御するよう構成され、前記基地局は送信機を含み、
前記送信機は、ＲＲＣシグナリング又はＭＡＣ  ＣＥを使用することにより、ユーザ機器へ情報を送信するよう構成され、前記情報は、前記第１通信を停止するよう、又は前記第１通信のために使用されるリソースを使用することを停止するよう、及び／又は前記第１通信のために使用される通信リソースをスケジューリングするために使用される構成されたＮｅｗ−ＲＮＴＩを使用することを停止するよう、及び／又は第２通信のために使用される通信リソースをスケジューリングするために使用される構成されたＳＬ−ＲＮＴＩを使用することを停止するよう、前記ユーザ機器に指示するために使用され、前記第１通信のために使用される前記リソースは、第１通信リソースプール及び第２通信リソースプールを含む、又は、
前記送信機は、ユーザ機器が、対応するＳＬ−ＲＮＴＩ又はＮｅｗ−ＲＮＴＩに従い、前記第１通信を停止するよう指示するために使用される指示メッセージを取得すると、前記第１通信を実行することを停止できるように、前記ユーザ機器へ、ＰＤＣＣＨ又はｅＰＤＣＣＨを使用することにより、ＳＬ−ＲＮＴＩ又はＮｅｗ−ＲＮＴＩを使用することによりスクランブリングされた許可メッセージを送信するよう更に構成され、前記許可メッセージは、前記第１通信を停止するよう指示するために使用される前記指示メッセージを含み、前記ＳＬ−ＲＮＴＩは、第２通信のために使用される通信リソースをスケジューリングするために使用されるＲＮＴＩであり、前記Ｎｅｗ−ＲＮＴＩは、前記第１通信のために使用される通信リソースをスケジューリングするために使用されるＲＮＴＩである、基地局を提供する。
【００８６】
第１２の態様を参照して、第１２の態様の第１の可能な実装では、前記ＭＡＣ  ＣＥは、特定の論理チャネルインデックス識別子のＭＡＣ  ＰＤＵサブヘッダを含み、又は、
前記ＭＡＣ  ＣＥは、第１通信の停止される前記ユーザ機器の識別子、及び／又は前記第１通信を停止するよう前記ユーザ機器に指示するために使用される指示情報、を含む。
【００８７】
第１２の態様又は第１２の態様の第１の可能な実装を参照して、第１２の態様の第２の可能な実装では、前記第１通信はユニキャストＤ２Ｄ通信又は中継通信であり、前記第２通信はマルチキャストＤ２Ｄ通信である。
【００８８】
第８の態様乃至第８の態様の第２の可能な実装のうちのいずれか１つを参照して、第８の態様の第３の可能な実装では、前記ユーザ機器はリモートユーザ機器又は中継ユーザ機器である。
【００８９】
第１２の態様乃至第１２の態様の第３の可能な実装のうちのいずれか１つを参照して、第１２の態様の第４の可能な実装では、前記ユーザ機器は、
前記ユーザ機器により報告された測定イベントを受信し、前記測定イベントは、前記基地局からの前記ユーザ機器による受信の信号強度及び／又はリンク品質が特定条件を満たすことを示し、及び／又は、
前記ユーザ機器により報告された測定結果を受信し、前記測定結果が特定条件を満たすか否かを決定し、前記測定結果は、ＲＳＲＰ及び／又はＲＳＲＱを含む、受信機を更に含む。
【００９０】
本発明で提供される通信を制御する方法、ユーザ機器、及び基地局によると、第１通信を実行する必要のあるとき、ユーザ機器は、以下の方法で基地局から第１通信のために必要な第１通信リソースを取得して良い。ユーザ機器がＲＲＣアイドル状態である場合、ユーザ機器は、基地局によりブロードキャストされたＳＩＢを受信することにより第１通信リソースを取得する、ユーザ機器がＲＲＣアイドル状態である場合、ユーザ機器はＲＲＣ接続状態に入り、第１通信リソースを割り当てるよう基地局に要求するために、基地局へ第１通信リソース要求を送信する、又は、ユーザ機器がＲＲＣ接続状態である場合、ユーザ機器は、第１通信リソースを割り当てるよう基地局に要求するために、第１通信リソース要求を基地局へ直接送信する。このように、カバレッジ基地局は、ユーザ機器の第１通信のためにリソース割り当てを制御する。
【図面の簡単な説明】
【００９１】
本発明の実施形態の又は従来技術の技術的ソリューションをより明確に説明するために、以下に実施形態又は従来技術の説明に必要な添付の図面を記載する。明らかなことに、以下の説明中の添付の図面は、本発明の一部の実施形態であり、これらの図面に従って当業者により創造的労力を有しないで他の図面も得られる。
【００９２】
【図１】本発明の一実施形態による通信シナリオの概略図である。
【００９３】
【図２】本発明の一実施形態による通信を制御する方法の実施形態１のフローチャートである。
【００９４】
【図２Ａ】図２に示す実施形態のステップ１０２の特定の実装のシグナリング図である。
【００９５】
【図２Ｂ】図２に示す実施形態のステップ１０２の別の特定の実装のシグナリング図である。
【００９６】
【図２Ｃ】図２に示す実施形態のステップ１０２の更に別の特定の実装のシグナリング図である。
【００９７】
【図２Ｄ】図２に示す実施形態のステップ１０２の更に別の特定の実装のシグナリング図である。
【００９８】
【図２Ｅ】図２に示す実施形態のステップ１０２の更に別の特定の実装のシグナリング図である。
【００９９】
【図２Ｆ】図２に示す実施形態のステップ１０２の更なる特定の実装のシグナリング図である。
【０１００】
【図２Ｇ】図２に示す実施形態のステップ１０２の更に別の特定の実装のシグナリング図である。
【図３Ａ】図２Ｃ乃至図２ＧでＵＥ  ＡがＲＲＣ接続状態に入った後に、ＵＥ  Ａにより第１通信リソースを取得するシグナリング図である。
【０１０１】
【図３Ｂ】図２Ｃ乃至図２ＧでＵＥ  ＡがＲＲＣ接続状態に入った後に、ＵＥ  Ａにより第１通信リソースを取得する別のシグナリング図である。
【０１０２】
【図３Ｃ】図２Ｃ乃至図２ＧでＵＥ  ＡがＲＲＣ接続状態に入った後に、ＵＥ  Ａにより第１通信リソースを取得する更に別のシグナリング図である。
【０１０３】
【図３Ｄ】図２Ｃ乃至図２ＧでＵＥ  ＡがＲＲＣ接続状態に入った後に、ＵＥ  Ａにより第１通信リソースを取得する更に別のシグナリング図である。
【０１０４】
【図４】本発明の一実施形態による別の通信シナリオの概略図である。
【０１０５】
【図５】本発明の一実施形態による通信を制御する方法の実施形態２のフローチャートである。
【０１０６】
【図６】本発明の一実施形態による通信を制御する方法の実施形態３のフローチャートである。
【０１０７】
【図７】本発明の一実施形態による通信を制御する方法の実施形態４のフローチャートである。
【０１０８】
【図８】本発明の一実施形態によるユーザ機器の実施形態１の概略構造図である。
【０１０９】
【図９】本発明の一実施形態によるユーザ機器の実施形態２の概略構造図である。
【０１１０】
【図１０】本発明の一実施形態による基地局の実施形態１の概略構造図である。
【０１１１】
【図１１】本発明の一実施形態による基地局の実施形態２の概略構造図である。
【０１１２】
【図１２】本発明の一実施形態による別のユーザ機器の実施形態１の概略構造図である。
【０１１３】
【図１３】本発明の一実施形態による別のユーザ機器の実施形態２の概略構造図である。
【０１１４】
【図１４】本発明の一実施形態による別の基地局の実施形態１の概略構造図である。
【０１１５】
【図１５】本発明の一実施形態による別の基地局の実施形態２の概略構造図である。
【発明を実施するための形態】
【０１１６】
本発明の目的、技術的ソリューション、及び利点を明確にするために、以下に、本発明の実施形態における技術的ソリューションを本発明の実施形態における添付の図面を参照して明確且つ完全に記載する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【０１１７】
図１は、本発明の一実施形態による通信シナリオの概略図である。本発明のソリューションは、ユーザ機器がＤ２Ｄ通信を実行するシナリオに適用でき、特に第１通信、例えばユニキャストＤ２Ｄ通信、つまり１対１（one−to−one）Ｄ２Ｄ通信シナリオ、又は中継Ｄ２Ｄ通信、つまりユーザ機器−ネットワーク中継通信（UE−to−Network  Relay）のＤ２Ｄ通信シナリオに適用可能である。本発明のソリューションに適用可能な通信ネットワークは、ロングタームエボリューション（Long  Term  Evolution、略してＬＴＥ）ネットワークであって良い。相応して、ＬＴＥネットワークでは、図１に示す基地局は、進化型ＮｏｄｅＢ（evolved  Node  B、略してｅＮＢ）であって良い。図１に示すように、ＵＥ  ＡがＵＥ  Ｂと第１通信を実行しようとしていると仮定すると、ＵＥ  Ａは、先ず、対応する第１通信リソース、つまりユニキャスト通信リソース又は中継通信リソースを、ｅＮＢから取得する必要があり、更に第１通信リソースを使用することによりＵＥ  Ｂと第１通信を実行する。
【０１１８】
図２は、本発明の一実施形態による通信を制御する方法の実施形態１のフローチャートである。図２に示すように、図１に示す通信シナリオに基づき、ソリューションはＵＥ  Ａにより実行される。通信を制御する方法は以下の特定のステップを含む。
【０１１９】
ステップ１０１。ＵＥ  Ａは、第１通信が実行される必要があるか否かを決定し、第１通信が実行される必要のある場合、ステップ１０２を実行する、或いは、第１通信が実行される必要のない場合、処理を終了する。
【０１２０】
本実施形態では、ＵＥ  Ａについて、ＵＥ  Ａのユーザが別のユーザと通信する必要のあるとき（該ユーザに対応するユーザ機器はＵＥ  Ｂである）、特定の実装では、該ユーザは、ＡＰＰを用いて、当該通信のために特定通信方法を選択して良い。任意で、ＡＰＰインタフェース上の任意的通信方法は、例えば、基地局転送方法、マルチキャストＤ２Ｄ方法、ユニキャストＤ２Ｄ方法、中継通信方法、Ｗｉ−Ｆｉ方法、等を含む。ユーザが第１通信方法を選択するとトリガされる対応する命令をＵＥ  Ａが受信すると、ＵＥ  Ａは、ＵＥ  ＡがＵＥ  Ｂと第１通信を実行する必要のあることを決定する。
【０１２１】
ステップ１０２。ＵＥ  Ａは、基地局から、第１通信のために必要な第１通信リソースを取得し、第１通信リソースを使用することにより第１通信を実行する。
【０１２２】
本実施形態では、ＵＥ  ＡがＵＥ  Ｂと第１通信、つまりユニキャストＤ２Ｄ通信又は中継通信を実行する必要のあるとき、ＵＥ  Ａは、対応する第１通信リソース、つまりユニキャスト通信リソース又は中継通信リソースを、ＵＥ  Ａに対応する基地局から取得して良い。つまり、ＵＥ  Ａをカバーする基地局は、ＵＥ  ＡのユニキャストＤ２Ｄ通信又は中継通信を制御することを担い、ユニキャスト通信リソース又は中継通信リソースのＵＥ  Ａへの割り当てを含む。
【０１２３】
基地局のカバレッジ内で第１通信の機能を有するユーザ機器が第１通信を実行する必要のあるとき、ユーザ機器は、対応する第１通信リソースをカバレッジ基地局から取得して良い。したがって、カバレッジ基地局は、ユーザ機器の第１通信のためのリソース割り当てを制御する。
【０１２４】
ＵＥ  Ａは、ＵＥ  Ａの無線リソース制御（Radio  Resource  Control、略してＲＲＣ）状態に従い、基地局から第１通信リソースを取得する方法を決定して良い。
【０１２５】
具体的に、任意で、ステップ１０２において、ＵＥ  Ａは、基地局から以下の方法のいずれか１つで第１通信のために必要な第１通信リソースを取得して良い。
ＵＥがＲＲＣアイドル状態である場合、ＵＥ  Ａは、基地局によりブロードキャストされた検出されたシステム情報ブロック（System  Information  Block、略してＳＩＢ）に従い、第１通信リソースを取得する。又は、
ＵＥ  ＡがＲＲＣアイドル状態である場合、ＵＥ  Ａは、ＲＲＣ接続状態に入り、第１通信リソースを割り当てるよう基地局に要求するために、基地局へ第１通信リソース要求を送信する。又は、
ＵＥ  ＡがＲＲＣ接続状態である場合、ＵＥ  Ａは、第１通信リソース要求を基地局へ送信する。
【０１２６】
本実施形態では、ユーザ機器は、第１通信リソースの使用モードに従い第１通信リソースを取得して良い。ユーザ機器の第１通信リソースの使用モードは、共有モード及び独立モードを含む。共有モードは、第１通信リソース及び第２通信リソースが共有可能であることを意味し、独立モードは、第１通信リソース及び第２通信リソースが独立に使用されることを意味する。
【０１２７】
つまり、ユーザ機器ＵＥ  Ａは、独立モード又は共有モードを使用することにより、基地局から第１通信リソースを取得して良い。第２通信リソースは、第２通信が実行されるときに使用される対応する通信リソースである。本願明細書における第２通信は、マルチキャストＤ２Ｄ通信、つまり１対多Ｄ２Ｄ通信を意味する。相応して、本願明細書における第２通信リソースプールは、グループ通信リソースプールである。
【０１２８】
第１通信リソースの使用モードは、プロトコルの中で定められる、又はＲＲＣメッセージを使用することにより構成される。
【０１２９】
以下は、幾つかの特定の実施形態を参照して前述の幾つかの任意的実装を記載する。
【０１３０】
図２Ａは、図２に示す実施形態のステップ１０２の特定の実装のシグナリング図である。  ＵＥ  ＡがＲＲＣアイドル状態であるとき、ＵＥ  Ａは、基地局によりブロードキャストされるＳＩＢをリッスンすることにより、図２Ａに示す方法に従い、第１通信リソースを取得して良い。
【０１３１】
具体的に、第１通信リソースの使用モードが共有モードである場合、基地局はＳＩＢをブロードキャストして良い。ＳＩＢは、第２通信のために使用される第２通信リソースプールを含み、第２通信リソースプールを使用することにより第１通信を実行するようＵＥ  Ａに指示するために使用される指示メッセージを含む。したがって、ＳＩＢを検出すると、ＵＥ  Ａは、ＳＩＢに含まれる指示メッセージに従い、第２通信リソースプールから第１通信リソースを選択する。この場合、ＵＥ  Ａはアイドル状態に留まったままである。
【０１３２】
グループ通信リソースプールは、マルチキャストＤ２Ｄ通信のために使用される複数の物理リソースブロックを含む。ＵＥ  Ａは、ＵＥ  Ａにより送信される必要のあるＤ２Ｄデータのサイズに従い、必要な物理リソースブロックの数を決定し、対応する数の物理リソースブロックを、ＵＥ  Ａにより第１通信を実行するために使用される第１通信リソースとして選択して良い。
【０１３３】
本実施形態では、基地局は、マルチキャストＤ２Ｄ通信のために使用されるリソース、つまり第２通信のために使用されるリソースを再利用するために第１通信を制御できる。ネットワーク負荷が比較的高いとき、リソース利用率は特に向上可能である。
【０１３４】
図２Ｂは、図２に示す実施形態のステップ１０２の別の特定の実装のシグナリング図である。ＵＥ  ＡがＲＲＣアイドル状態であるとき、ＵＥ  Ａは、基地局によりブロードキャストされるＳＩＢをリッスンすることにより、図２Ｂに示す方法に従い、第１通信リソースを取得して良い。
【０１３５】
具体的に、第１通信リソースの使用モードが独立モードである場合、基地局はＳＩＢをブロードキャストして良い。ＳＩＢは、第１通信のために使用される第１通信リソースプールを含む。したがって、ＳＩＢを検出すると、ＵＥ  Ａは、第１通信リソースプールから第１通信リソースを選択して良い。この場合、ＵＥ  Ａは依然としてアイドル状態に留まる。
【０１３６】
留意すべきことに、既存プロトコル標準に適合するために、ＳＩＢは２つのリソースプールを含んで良い。一方は既存プロトコル標準におけるグループ通信リソースプールであり、他方は第１通信リソースプール、つまりユニキャスト通信リソースプール又は中継通信リソースプールである。ユーザ機器が２つのリソースプールの間を区別できるために、各リソースプールは対応する識別子を有することが理解できる。したがって、ＳＩＢを検出すると、ＵＥ  Ａは、第１通信リソースプールから第１通信リソースを選択して良い。
【０１３７】
第２通信リソースプールに含まれる物理リソースブロックは、第１通信リソースプールに含まれる物理リソースブロックと重複しないことが理解できる。つまり、基地局は、マルチキャストＤ２Ｄ通信及び第１通信に対して異なるリソースプールを割り当てる。これは、２種類のＤ２Ｄ通信がリソースを共有し得る図２Ａの方法と逆である。
【０１３８】
同様に、ＵＥ  Ａは、ＵＥ  Ａにより送信される必要のあるＤ２Ｄデータのサイズに従い、必要な物理リソースブロックの数を決定し、対応する数の物理リソースブロックを、ＵＥ  Ａにより第１通信を実行するために使用される第１通信リソースとして選択して良い。
【０１３９】
本実施形態では、基地局は、第１通信のために独立した第１通信リソースプールを割り当てる。これは、Ｄ２Ｄユーザ機器間の相互干渉をある程度回避でき、第１通信の品質を良好に保証でき、特に比較的低いネットワーク負荷の場合に適用可能でる。
【０１４０】
図２Ｃは、図２に示す実施形態のステップ１０２の更に別の特定の実装のシグナリング図である。ＵＥ  ＡがＲＲＣアイドル状態であるとき、ＵＥ  Ａは、図２Ｃに示す方法に従い、接続状態に入り、及び第１通信リソース要求を基地局へ送信する方法で、第１通信リソースを取得して良い。
【０１４１】
具体的に、第１通信リソースの使用モードが共有モードである場合、基地局はＳＩＢをブロードキャストする。ＳＩＢは、第２通信のために使用される第２通信リソースプール又は第１通信のために使用される第１通信リソースプールを提供しない。したがって、ＳＩＢを検出すると、ＵＥ  Ａは、ＲＲＣ接続状態に入り、第１通信リソースを取得するために基地局へ第１通信リソース要求を送信する。
【０１４２】
図２Ｄは、図２に示す実施形態のステップ１０２の更に別の特定の実装のシグナリング図である。ＵＥ  ＡがＲＲＣアイドル状態であるとき、ＵＥ  Ａは、図２Ｄに示す方法に従い、接続状態に入り、及び第１通信リソース要求を基地局へ送信する方法で、第１通信リソースを取得して良い。
【０１４３】
具体的に、第１通信リソースの使用モードが独立モードである場合、基地局はＳＩＢをブロードキャストする。ＳＩＢは、第１通信のために使用される第１通信リソースプールを提供しない。この場合、ＳＩＢを検出すると、ＵＥ  Ａは、ＲＲＣ接続状態に入り、基地局へ第１通信リソース要求を送信する。
【０１４４】
図２Ｅは、図２に示す実施形態のステップ１０２の更に別の特定の実装のシグナリング図である。ＵＥ  ＡがＲＲＣアイドル状態であるとき、ＵＥ  Ａは、図２Ｄに示す方法に従い、接続状態に入り、及び第１通信リソース要求を基地局へ送信する方法で、第１通信リソースを取得して良い。
【０１４５】
具体的に、第１通信リソースの使用モードが独立モードである場合、基地局はＳＩＢをブロードキャストして良い。ＳＩＢは、第２通信のために使用される第２通信リソースプールを含み、グループ通信リソースプールを使用することにより第１通信を実行するようＵＥ  Ａに指示するために使用される指示メッセージを含まず、又はＵＥ  Ａが第２通信リソースプールを使用することにより第１通信を実行できないことを示すために使用される指示メッセージを含む。したがって、ＳＩＢを検出すると、ＵＥ  Ａは、ＲＲＣ接続状態に入り、第１通信リソースを取得するために基地局へ第１通信リソース要求を送信する。
【０１４６】
つまり、ＵＥ  Ａにより検出されたＳＩＢがグループ通信リソースプールだけを含む、又はグループ通信リソースプール及びグループ通信リソースプールを使用することにより第１通信が実行できないことを示すために使用される指示メッセージを含むとき、ＵＥ  ＡはＲＲＣ接続状態に入り、基地局へ第１通信リソース要求を送信する。
【０１４７】
図２Ｆは、図２に示す実施形態のステップ１０２の更なる特定の実装のシグナリング図である。ＵＥ  ＡがＲＲＣアイドル状態であるとき、ＵＥ  Ａは、図２Ｆに示す方法に従い、接続状態に入り、及び第１通信リソース要求を基地局へ送信する方法で、第１通信リソースを取得して良い。
【０１４８】
具体的に、基地局はＳＩＢをブロードキャストして良い。ＳＩＢは、ＲＲＣ接続状態に入るよう、及び第１通信リソースを取得するために基地局へ第１通信リソース要求を送信するよう、ＵＥ  Ａに指示するために使用される指示メッセージを含む。したがって、ＳＩＢを検出すると、ＵＥ  Ａは、指示メッセージに従い、ＲＲＣ接続状態に入り、基地局へ第１通信リソース要求を送信する。
【０１４９】
図２Ｇは、図２に示す実施形態のステップ１０２の更に別の特定の実装のシグナリング図である。ＵＥ  ＡがＲＲＣアイドル状態であるとき、ＵＥ  Ａは、図２Ｇに示す方法に従い、接続状態に入り、及び第１通信リソース要求を基地局へ送信する方法で、第１通信リソースを取得して良い。
【０１５０】
具体的に、第１通信が実行される必要のあることを決定すると、ＵＥ  Ａは、接続状態に入り、第１通信リソースを取得するために基地局へ第１通信リソース要求を送信する。
【０１５１】
図２Ｃ乃至図２Ｇの実施形態では、ＵＥ  ＡがＲＲＣアイドル状態であるとき、ＵＥ  Ａは、第１通信が実行される必要があると決定すると、デフォルト設定に従いＲＲＣ接続状態に直接入って良く、又は接続状態に入るよう指示するために使用され且つ検出されたＳＩＢ内の指示に従い、ＲＲＣ接続状態に入って良く、又は検出されたＳＩＢが第１通信リソースプールを含まないとき、ＲＲＣ接続状態に入って良い。ＲＲＣ接続状態に入った後に、ＵＥ  Ａは、基地局へ要求を送信する方法で、第１通信リソースを割り当てるよう基地局に要求して良い。したがって、基地局は、前述の異なる制御情報に基づき、ユーザ機器の第１通信のための通信リソース割り当てを制御できる。
【０１５２】
図２Ｃ乃至図２Ｇの実施形態に基づき、ＵＥ  Ａが基地局へ第１通信リソース要求を送信した後に、基地局は、以下の幾つかの任意的実装を用いて対応する応答処理を実行して良い。
【０１５３】
図３Ａは、図２Ｃ乃至図２ＧでＵＥ  ＡがＲＲＣ接続状態に入った後に、ＵＥ  Ａにより第１通信リソースを取得するシグナリング図である。図３Ａに示すように、接続状態に入った後に、ＵＥ  Ａは、基地局へ第１通信リソース要求を送信する。具体的に、第１通信リソース要求は、ＵＥ  Ａにより送信される必要のあるデータのサイズのような情報を含んで良い。
【０１５４】
第１通信リソース要求を受信した後に、基地局は、第１ＲＲＣシグナリング又は第１媒体アクセス制御制御要素（Medium  Access  Control  Element、略してＭＡＣ  ＣＥ）のような専用シグナリングを使用することにより、第２通信のために使用される第２通信リソースプールを使用することにより第１通信を実行するようＵＥ  Ａに指示するために使用される指示メッセージをＵＥ  Ａへ送信して良い。さらに、ＵＥ  Ａは、指示メッセージに従い、第２通信リソースプールから第１通信リソースを選択する。
【０１５５】
留意すべきことに、基地局は、第２通信リソース（つまり、マルチキャストＤ２Ｄ通信リソース）を予め割り当て、ＵＥ  Ａは、第２通信リソースプール（つまり、グループ通信リソースプール）を取得している。ＵＥ  Ａが第１通信のために必要な第１通信リソースを基地局から要求するとき、ＵＥ  Ａが基地局によりフィードバックされた指示メッセージを受信した場合、これは、ＵＥ  Ａがグループ通信リソースを第１通信リソースとして再利用できることを示す。ＵＥ  Ａは、送信される必要のあるデータのサイズに従い、グループ通信リソースプールから、対応する数の物理リソースブロックを第１通信リソースとして使用のために選択して良い。本願明細書では、第１通信は、ユニキャスト（１対１）Ｄ２Ｄ通信及び中継通信を含み、第１通信リソースは、ユニキャスト通信リソース及び中継通信リソースを含み、第２通信はマルチキャストＤ２Ｄ通信であって良い。
【０１５６】
図３Ｂは、図２Ｃ乃至図２ＧでＵＥ  ＡがＲＲＣ接続状態に入った後に、ＵＥ  Ａにより第１通信リソースを取得する別のシグナリング図である。図３Ｂに示すように、接続状態に入った後に、ＵＥ  Ａは、基地局へ第１通信リソース要求を送信する。第１通信リソース要求を受信した後に、基地局は、第２ＲＲＣシグナリング又は第２ＭＡＣ  ＣＥのような専用シグナリングを使用することにより、第１通信リソースを取得するためにサイドリンク無線ネットワーク一時識別子（SideLink−Radio  Network  Temporary  Identity、略してＳＬ−ＲＮＴＩ）を再利用するようＵＥ  Ａに指示するために使用される指示メッセージをＵＥ  Ａへ送信して良い。ＵＥ  Ａは、更に、ＳＬ−ＲＮＴＩに従い、基地局により割り当てられた第２通信リソースを取得し、第１通信のための第１通信リソースとして第２通信リソースを再利用する。
【０１５７】
ＳＬ−ＲＮＴＩは、第２通信、つまりマルチキャストＤ２Ｄ通信のために使用される通信リソースをスケジューリングするために使用されるＲＮＴＩである。つまり、ＳＬ−ＲＮＴＩは、基地局がＵＥ  Ａにグループ通信リソースを割り当てるときに使用されるＲＮＴＩである。したがって、基地局が指示メッセージを送信することは、基地局が、基地局により割り当てられたグループ通信リソースを取得するためにＳＬ−ＲＮＴＩを使用し続けるよう及び第１通信リソースとしてグループ通信リソースを使用するようＵＥ  Ａに指示することを意味する。
【０１５８】
図３Ａ及び図３Ｂの２つの方法では、基地局は、依然として、第１通信を実行するために予め割り当てられたグループ通信リソースを再利用するようＵＥ  Ａに指示する。
【０１５９】
図３Ｃは、図２Ｃ乃至図２ＧでＵＥ  ＡがＲＲＣ接続状態に入った後に、ＵＥ  Ａにより第１通信リソースを取得する更に別のシグナリング図である。図３Ｃに示すように、接続状態に入った後に、ＵＥ  Ａは、基地局へ第１通信リソース要求を送信する。第１通信リソース要求を受信した後に、基地局は、第４ＲＲＣシグナリング又は第４ＭＡＣ  ＣＥのような専用シグナリングを使用することにより、ＵＥへ第１通信リソースプールを送信して良く、ＵＥ  Ａは、更に、第１通信リソースプールから第１通信リソースを選択する。第１通信リソースプールは、基地局により割り当てられ且つ第１通信に専用のリソースプールである。
【０１６０】
図３Ｄは、図２Ｃ乃至図２ＧでＵＥ  ＡがＲＲＣ接続状態に入った後に、ＵＥ  Ａにより第１通信リソースを取得する更に別のシグナリング図である。図３Ｄに示すように、接続状態に入った後に、ＵＥ  Ａは、基地局へ第１通信リソース要求を送信する。第１通信リソース要求を受信した後に、基地局は、第５ＲＲＣシグナリング又は第５ＭＡＣ  ＣＥのような専用シグナリングを使用することにより、ＵＥへ新無線ネットワーク一時識別子を送信して良く、このＮｅｗ−ＲＮＴＩをＲＮＴＩとしてマークして良い。任意で、基地局は、物理ダウンリンク制御チャネル（Physical  Downlink  Control  Channel、略してＰＤＣＣＨ）又は拡張物理ダウンリンク制御チャネル（enhanced  PDCCH、略してｅＰＤＣＣＨ）を使用することにより、Ｎｅｗ−ＲＮＴＩを使用することによりスクランブリングされたスケジューリング情報をＵＥ  Ａへ送信して良い。Ｎｅｗ−ＲＮＴＩは、第１通信のために使用される通信リソースをスケジューリングするために使用されるＲＮＴＩであり、スケジューリング情報は、第１通信のために基地局によりスケジューリングされた第１通信リソースを含む。さらに、ＵＥ  Ａは、Ｎｅｗ−ＲＮＴＩに従い第１通信リソースを取得する。つまり、Ｎｅｗ−ＲＮＴＩは、第１通信のために使用される通信リソースをスケジューリングするために使用されるＲＮＴＩであり、スケジューリング情報は、第１通信のために基地局によりスケジューリングされた第１通信リソースを含む。
【０１６１】
留意すべきことに、図３Ｃ及び図３Ｄに示す実施形態では、ＵＥ  Ａにより送信された第１通信リソース要求を受信した後に、基地局は、先ず、ＵＥ  Ａが第１通信を実行することを許可するか否かを決定して良い。決定の基礎は、例えば、現在リソースが十分か否かであって良い。現在リソースが十分である場合、ＵＥ  Ａは、第１通信を実行することを許可されて良く、第１通信リソースがＵＥ  Ａに割り当てられる。反対に、現在リソースが不十分である場合、ＵＥ  Ａは第１通信を実行することを許可されない。相応して、基地局は、ＲＲＣシグナリング又はＭＡＣ  ＣＥを使用することによりＵＥ  Ａへリソース拒否メッセージを送信して良く、ＵＥ  Ａにリソースを割り当てない。
【０１６２】
具体的に、基地局は、第３ＲＲＣシグナリング又は第３ＭＡＣ  ＣＥを使用することにより、ＵＥ  Ａへリソース拒否メッセージを送信する。リソース拒否メッセージはリソース拒否指示を含み、リソース拒否指示は、ＵＥ  Ａが第２通信リソースプールを使用することを禁止することを指示するため、及び／又はＵＥ  Ａが第２通信のために使用される通信リソースをスケジューリングするために使用される割り当てられたＳＬ−ＲＮＴＩを使用することを禁止することを指示するために、使用される。したがって、リソース拒否指示に従い、ＵＥ  Ａは、第１通信を実行するために第２通信リソースプールを使用しない、又は第１通信を実行するために対応するリソースをスケジューリングするためにＳＬ−ＲＮＴＩを使用しない。代替で、ＵＥ  Ａが基地局のリソース割り当てに関する情報を受信しない場合、第１通信が実行できないことが決定される。
【０１６３】
前述の実施形態は、図１に示す通常通信シナリオに適用可能であって良い。本シナリオでは、ＵＥ  Ａは、Ｄ２Ｄ通信をサポートするユーザ機器として使用され、ＵＥ  Ａが第１通信を実行する必要のあるとき、前述の処理プロセスがトリガされる。以下は、第１通信の別の特定のシナリオを参照して、特定第１通信方法、中継通信を記載する。
【０１６４】
図４は、本発明の一実施形態による別の通信シナリオの概略図である。図４に示すように、ＵＥ  Ａ及びＵＥ  Ｃの両者は、Ｄ２Ｄ通信をサポートし、特に第１通信をサポートすると仮定する。ＵＥ  Ａは、基地局のカバレッジ内に位置し、基地局のカバレッジのエッジにいる。この場合には、ＵＥ  Ａは基地局のカバレッジのエッジにいるので、ＵＥ  Ａが基地局にアクセスできない高い危険性がある。この場合には、ＵＥ  Ａはリモートユーザ機器、つまりリモートＵＥ  Ａである。ＵＥ  Ｃは中継サービスを提供可能であると仮定する。ＵＥ  ＡはＵＥ  Ｃを使用することにより基地局にアクセスして良い。この場合には、ＵＥ  Ｃは中継ユーザ機器、つまり中継ＵＥ  Ｃである。リモートＵＥ  Ａと中継ＵＥ  Ｃとの間の第１通信は中継通信である。
【０１６５】
図５は、本発明の一実施形態による通信を制御する方法の実施形態２のフローチャートである。図５に示すように、図４に示す通信シナリオに基づき、ソリューションはＵＥ  Ａにより実行される。通信を制御する方法は以下の特定のステップを含む。
【０１６６】
ステップ２０１。ＵＥ  Ａは、基地局により送信された参照信号を受信する参照信号受信強度が所定閾より小さいか否かを決定し、参照信号受信強度が所定閾より小さい場合、ステップ２０２を実行し、又は、参照信号受信強度が所定閾より小さくない場合、処理を終了する。
【０１６７】
基地局により送信された参照信号のＵＥ  Ａによる受信の参照信号受信強度が所定閾より小さい場合、これは、ＵＥ  Ａが基地局のカバレッジのエッジに位置する可能性があること、及び基地局を使用することによりセルラ通信を実行できない可能性があることを示す。
【０１６８】
ステップ２０２。ＵＥ  Ａは、中継通信が実行される必要のあることを決定し、ＵＥ  Ａは、通信要求メッセージを送信する。ここで、通信要求メッセージは、中継通信サービス機能を有するユーザ機器に、応答メッセージをフィードバックするよう要求するために使用される。
【０１６９】
ステップ２０３。ＵＥ  Ａは、中継通信サービス機能を有するユーザ機器によりフィードバックされた応答メッセージの受信信号強度に従い、中継通信サービス機能を有するユーザ機器からＵＥ  Ｃを選択する。
【０１７０】
ＵＥ  Ｃに対応する応答メッセージの受信信号強度は最も高く、ＵＥ  Ｃは、中継通信サービス、つまり中継サービスをＵＥ  Ａに提供するよう構成される。
【０１７１】
ＵＥ  Ａが基地局のカバレッジのエッジに位置し、及び基地局を使用することによりセルラ通信を実行できないことが決定されると、ＵＥ  Ａは、中継通信方法で基地局にアクセスするようトリガされる。
【０１７２】
この観点で、ＵＥ  Ａは、先ず、セル内で中継サービスを提供する複数の中継ユーザ機器から、ＵＥ  Ａに中継サービスを提供するユーザ機器を選択する必要がある。具体的に、ＵＥ  Ａは、中継要求メッセージ、つまり通信要求メッセージを送信して良い。中継要求メッセージは、応答メッセージをフィードバックするよう中継サービス機能を有する中継ユーザ機器に要求するために使用される。したがって、ＵＥ  Ａは、中継ユーザ機器によりフィードバックされた応答メッセージの受信信号強度に従い、中継ユーザ機器から、最高受信信号強度を有するＵＥ  Ｃを、ＵＥ  Ａの中継ユーザ機器として選択する。
【０１７３】
留意すべきことに、複数のユーザ機器のために、中継ユーザ機器は中継機能を提供でき、これは、基地局に対する中継ユーザ機器の受信電力が、通常、特定閾より大きいことを示す。
【０１７４】
ステップ２０４。ＵＥ  Ａは、基地局から、中継通信のために必要な第１通信リソースを取得し、第１通信リソースを使用することによりＵＥ  Ｃとの中継通信を実行する。
【０１７５】
中継ユーザ機器ＵＥ  Ｃを選択した後に、ＵＥ  Ａは、前述の実施形態における方法に従い第１通信リソースを取得し、更に、第１通信リソースを使用することによりＵＥ  Ｃとの中継通信を実行して良い。つまり、ＵＥ  Ａは、ＵＥ  Ｃを用いて基地局へ送信すべきデータを送信する。
【０１７６】
本実施形態では、Ｄ２Ｄ通信をサポートするユーザ機器が基地局のカバレッジのエッジに位置し、セルラ通信を実行するために基地局にアクセスできないとき、ユーザ機器の中継通信プロセスがトリガされる。中継通信プロセスにより、ユーザ機器のデータが成功裏に送信できることが保証される。さらに、中継通信はＤ２Ｄ通信に属するので、ユーザ機器及び中継ユーザ機器は、第１通信リソースを使用することにより互いに通信し、それによりリソース利用率を向上する。
【０１７７】
図６は、本発明の一実施形態による通信を制御する方法の実施形態３のフローチャートである。図６に示すように、図１又は図４に示す通信シナリオに基づき、ソリューションはＵＥ  Ａにより実行される。通信を制御する方法は以下の特定のステップを含む。
【０１７８】
ステップ３０１。ＵＥ  Ａは、基地局に測定イベントを報告する。ここで、測定イベントは、基地局からのＵＥ  Ａによる受信の信号強度及び／又はリンク品質が特定条件を満たすことを示す。
【０１７９】
ステップ３０２。ＵＥ  Ａは、ＲＲＣシグナリング又はＭＡＣ  ＣＥを使用することにより基地局により送信される情報を受信する。
【０１８０】
該情報は、第１通信を停止するよう又は第１通信のために使用されるリソースの使用を停止するよう、及び／又は第１通信のために使用される通信リソースをスケジューリングするために使用される構成されたＮｅｗ−ＲＮＴＩの使用を停止するよう、及び／又は第２通信のために使用される通信リソースをスケジューリングするために使用される構成されたＳＬ−ＲＮＴＩの使用を停止するよう、ＵＥ  Ａに指示するために使用され、第１通信のために使用されるリソースは、第１通信リソースプール及び第２通信リソースプールを含む。
【０１８１】
ステップ３０３。ＵＥ  Ａは情報を実行する。
【０１８２】
つまり、情報に従い、ＵＥ  Ａは、第１通信を停止し、又は第１通信のために使用されるリソースの使用を停止し、及び／又は第１通信のために使用される通信リソースをスケジューリングするために使用される構成されたＮｅｗ−ＲＮＴＩの使用を停止し、及び／又は第２通信のために使用される通信リソースをスケジューリングするために使用される構成されたＳＬ−ＲＮＴＩの使用を停止する。
【０１８３】
本実施形態では、ユーザ機器が第１通信方法で第１通信を実行するとき、基地局は、第１通信方法で通信を実行し続けることを停止するようユーザ機器を制御して良い。
【０１８４】
具体的に、例えば、基地局の無線リソースが不十分である又は基地局が過負荷であることを検出すると、基地局は、第１通信方法で通信を実行することを停止するようユーザ機器を制御して良く、それにより基地局の負荷を低減する。この場合、ステップ３０１は任意的ステップである。
【０１８５】
ＵＥ  Ａは第１通信リソースを使用することによりＵＥ  Ｂと通信し、又はＵＥ  Ａは、ＵＥ  Ｃを使用することによりネットワークにアクセスした後に且つ測定イベントを検出すると、基地局に測定イベントを報告する。測定イベントは、ＵＥ  Ａと基地局との間のチャネルの品質が良好であり、ＵＥ  Ａが、基地局を使用することによりセルラ通信を実行でき、及びＵＥ  Ｃを使用することにより中継方法でネットワークにアクセスする若しくはＵＥ  ＢとのユニキャストＤ２Ｄ通信を実行する必要がないことを示す。この場合、基地局は、第１通信方法で通信を実行し続けることを停止するようＵＥ  Ａを制御するようトリガされる。
【０１８６】
さらに、基地局は、更に、ユーザ機器ＵＥ  Ａにより報告された測定結果に基づき、第１通信方法で通信を実行し続けることを停止するようＵＥ  Ａを制御するか否かを決定して良い。具体的に、図４のシナリオを一例として用いて、ＵＥ  Ｃを使用することによりネットワークにアクセスした後に、ＵＥ  Ａは、例えば参照信号受信強度（ＲＳＲＰ）及び／又は参照信号受信品質（Reference  Signal  Receiving  Quality、略したＲＳＲＱ）を周期的に検出し、基地局に測定結果を報告して良い。測定結果に従い、対応するＰＳＲＰ及びＲＳＲＱが特定条件を満たす、つまり特定閾より大きいことを決定すると、基地局は、中継通信方法で通信を実行し続けることを停止するようＵＥ  Ａを制御する。
【０１８７】
留意すべきことに、基地局は、測定イベント又は測定結果のうちの一方に従い、第１通信を停止するよう制御する制御決定を行って良い。代替で、基地局は、測定イベント及び測定結果に従い、第１通信を停止するよう制御する制御決定を行って良い。つまり、第１通信を停止するよう制御する制御決定は、測定イベントが満たされるとき及び測定結果が特定条件を満たすときのみ、行われる。
【０１８８】
図４のシナリオにおけるＵＥ  Ａについて、ＵＥ  Ａが基地局のカバレッジのエッジにいるとき、ＵＥ  Ａは、基地局を使用することによりセルラ通信を実施できず、したがって中継通信を実行する。基地局が、ＵＥ  Ａの測定結果又は測定イベントに基づき、ＵＥ  Ａの受信電力が特定閾より大きい、又はＵＥ  Ａの信号強度が特定閾より大きいと分かった場合、ＵＥ  Ａはカバレッジ内を移動している。この場合、ＵＥ  Ａは、基地局を使用することにより既にセルラ通信を実行できるので、基地局は、中継通信を停止するようＵＥ  Ａを制御して良い。ＵＥ  Ｃについて、基地局は、ＵＥ  Ｃの中継負荷が極めて低いことを検出すると、第１通信リソースが完全に使用できなくなる問題を回避するために、中継通信を停止するようＵＥ  Ｃを制御して良い。
【０１８９】
具体的に、基地局は、ＲＲＣシグナリング又はＭＡＣ  ＣＥのような専用シグナリングを使用することにより、ユーザ機器へ情報を送信して良い。
【０１９０】
ＭＡＣ  ＣＥは、特定の論理チャネルインデックス識別子のＭＡＣ  ＰＤＵサブヘッダを含み、又は、ＭＡＣ  ＣＥは、第１通信の停止されるユーザ機器ＵＥ  Ａの識別子、及び／又は第１通信を停止するようＵＥ  Ａに指示するために使用される指示情報、を含む。
【０１９１】
ＭＡＣ  ＣＥは、以下の表のように設計されて良い。ＭＡＣパケットデータユニット（packet  data  unit、略してＰＤＵ）サブヘッダのインデックス（index）及び論理チャネル識別子（logical  channel  identify、略してＬＣＩＤ）値が、中継通信を停止するために使用される。
【表１】
0006652636.tif 000002
【０１９２】
前述の実施形態は、さらに、基地局がユニキャスト通信を実行するユーザ機器のユニキャスト通信リンクを停止するシナリオに適用可能である。
【０１９３】
本実施形態では、基地局のリソース状態及び負荷状態に基づき、又はユーザ機器の検出されたネットワークアクセス状態に基づき、基地局は、第１通信方法で通信を実行することを停止するよう、第１通信を実行しているユーザ機器を制御して良く、又は、ユーザ機器が前述の関連リソースを使用することにより第１通信を実行することを禁止するよう制御して良い。
【０１９４】
図７は、本発明の一実施形態による通信を制御する方法の実施形態４のフローチャートである。図７に示すように、図１又は図４に示す通信シナリオに基づき、ソリューションはＵＥ  Ａにより実行される。通信を制御する方法は以下の特定のステップを含む。
【０１９５】
ステップ４０１。ＵＥ  Ａは、ＰＤＣＣＨ又はｅＰＤＣＣＨを使用することにより基地局により送信され且つＳＬ−ＲＮＴＩ若しくはＮｅｗ−ＲＮＴＩを使用することによりスクランブリングされた許可メッセージを受信する。ここで、許可メッセージは、第１通信を停止するよう指示するために使用される指示メッセージを含む。
【０１９６】
ＳＬ−ＲＮＴＩは、第２通信、つまりマルチキャストＤ２Ｄ通信のために使用される通信リソースをスケジューリングするために使用されるＲＮＴＩである。Ｎｅｗ−ＲＮＴＩは、第１通信のために使用される通信リソースをスケジューリングするために使用されるＲＮＴＩである。
【０１９７】
許可メッセージは、リソース割り当てのために使用される許可メッセージである。
【０１９８】
ステップ４０２。ＵＥ  Ａは、対応するＳＬ−ＲＮＴＩ又はＮｅｗ−ＲＮＴＩに従い、第１通信を停止するよう指示するために使用される指示メッセージを取得し、第１通信の実行を停止する。
【０１９９】
本実施形態では、ユーザ機器が第１通信方法で第１通信を実行するとき、基地局は、第１方法で通信を実行し続けることを停止するようユーザ機器を制御して良い。
【０２００】
基地局により、第１通信を停止する決定を行う条件は、前述の実施形態に従い、詳細は再び記載されない。前述の実施形態からの相違は、基地局が、異なる方法で、第１通信を停止するようユーザ機器を制御することである。
【０２０１】
具体的に、基地局は、ＰＤＣＣＨ又はｅＰＤＣＣＨを使用することにより、ユーザ機器へ、ＳＬ−ＲＮＴＩ又はＮｅｗ−ＲＮＴＩを使用することによりスクランブリングされた許可メッセージを送信して良い。許可メッセージは、第１通信を停止するよう指示するために使用される指示メッセージを含む。
【０２０２】
留意すべきことに、ＳＬ−ＲＮＴＩ及びＮｅｗ−ＲＮＴＩはユーザ機器に対応する。つまり、ユーザ機器がＵＥ  Ａである場合、ＳＬ−ＲＮＴＩ及びＮｅｗ−ＲＮＴＩはＵＥ  Ａに対応する。
【０２０３】
さらに、ＳＬ−ＲＮＴＩ及びＮｅｗ−ＲＮＴＩは、基地局が第１通信リソースをユーザ機器に割り当てる方法に関連する。基地局が第１通信リソースをユーザ機器に割り当てる方法が、ＳＬ−ＲＮＴＩに従い第１通信リソースを取得するようユーザ機器に指示する、つまりマルチキャスト通信リソースを再利用するようユーザ機器に指示する場合、基地局がユーザ機器の第１通信を停止するとき、基地局は、ＳＬ−ＲＮＴＩをユーザ機器へ送信する。基地局が第１通信リソースをユーザ機器に割り当てる方法が、Ｎｅｗ−ＲＮＴＩに従い第１通信リソースを取得するようユーザ機器に指示する、つまり基地局によりユーザ機器に割り当てられた独立第１通信リソースをＮｅｗ−ＲＮＴＩに従い取得するようユーザ機器に指示する場合、基地局がユーザ機器の第１通信を停止するとき、基地局は、Ｎｅｗ−ＲＮＴＩをユーザ機器へ送信する。
【０２０４】
許可メッセージを受信した後に、ユーザ機器は、ユーザ機器が第１通信リソースを取得するときに使用された対応するＳＬ−ＲＮＴＩ又はＮｅｗ−ＲＮＴＩに従い、第１通信を停止するよう指示するために使用され且つ許可メッセージに含まれる指示メッセージを取得し、指示メッセージに従い第１通信を停止する。
【０２０５】
本実施形態では、基地局のリソース状態及び負荷状態に基づき、又はユーザ機器の検出されたネットワークアクセス状態に基づき、基地局は、第１通信方法で通信を実行することを停止するよう、第１通信を実行しているユーザ機器を制御して良い。
【０２０６】
前述の実施形態は、実行主体としてユーザ機器の観点から記載された。以下は、実行主体として基地局の観点から基地局の処理プロセスを記載する。
【０２０７】
本発明のソリューションでは、ユーザ機器が第１通信リソースを使用することにより第１通信を実行できるように、基地局は、第１通信を実行する必要のあるユーザ機器に第１通信のために必要な第１通信リソースを割り当てて良い。
【０２０８】
具体的に、基地局は、ＳＩＢをブロードキャストする方法で、又は第１通信リソースを割り当てるようユーザ機器により要求する方法で、第１通信を実行する必要のあるユーザ機器に第１通信リソースを割り当てて良い。
【０２０９】
任意で、ＲＲＣアイドル状態であるユーザ機器がＳＩＢに従い第１通信リソースを取得できるように、基地局は、第１通信リソースを伝達するＳＩＢをブロードキャストする。
【０２１０】
代替で、任意で、基地局は、ＲＲＣ接続状態のユーザ機器により送信された第１通信リソース要求を受信し、基地局は、第１通信リソース要求に従い、ＲＲＣ接続状態のユーザ機器に第１通信リソースを割り当てる。
【０２１１】
留意すべきことに、本発明の本実施形態では、不明確さのない場合に、ユーザ機器は、第１通信を実行する必要のあるユーザ機器であるが、セルラ通信を実行するユーザ機器ではない。追加で、本実施形態では、第１通信は、ユニキャストＤ２Ｄ通信又は中継通信であり、第２通信はマルチキャストＤ２Ｄ通信である。相応して、第１通信リソースはユニキャスト通信リソース又は中継通信リソースである。以下の第２通信リソースプールは、グループ通信リソースプール、つまりマルチキャストＤ２Ｄ通信のために使用される通信リソースである。
【０２１２】
さらに、本実施形態では、基地局は、第１通信リソースの使用モードに従い、第１通信のために必要な第１通信リソースをユーザ機器に割り当てて良い。第１通信リソースの使用モードは、共有モード及び独立モードを含む。共有モードは、第１通信リソース及び第２通信リソースが共有可能であることを意味し、独立モードは、第１通信リソース及び第２通信リソースが独立に使用されることを意味する。第１通信リソースの使用モードは、プロトコルの中で定められる、又はＲＲＣメッセージを使用することにより構成される。
【０２１３】
以下は、幾つかの特定の実装を参照して、基地局による第１通信リソースの割り当て処理プロセスを記載する。
【０２１４】
方法１。第１通信リソースの使用モードが共有モードである場合、基地局は第１ＳＩＢをブロードキャストする。第１ＳＩＢは、第２通信のために使用される第２通信リソースプールを含み、グループ通信リソースプールを使用することにより第１通信を実行するようユーザ機器に指示するために使用される指示メッセージを含む。
【０２１５】
したがって、第１ＳＩＢを検出した後に、ＲＲＣアイドル状態のユーザ機器は、第２通信リソースプールから第１通信リソースを選択し、ユーザ機器は、依然としてＲＲＣアイドル状態に留まる。
【０２１６】
方法１は、図２Ａに示す実施形態に対応し、特定の処理プロセスは再び詳述されない。
【０２１７】
方法２。第１通信リソースの使用モードが独立モードである場合、基地局は第２ＳＩＢをブロードキャストする。第２ＳＩＢは、第１通信のために使用される第１通信リソースプールを含む。
【０２１８】
したがって、第２ＳＩＢを検出した後に、ＲＲＣアイドル状態のユーザ機器は、第１通信リソースプールから第１通信リソースを選択し、ユーザ機器は、依然としてＲＲＣアイドル状態に留まる。
【０２１９】
方法２は、図２Ｂに示す実施形態に対応し、特定の処理プロセスは再び詳述されない。
【０２２０】
方法３。第１通信リソースの使用モードが共有モードである場合、基地局は第３ＳＩＢをブロードキャストする。第３ＳＩＢは、第２通信のために使用される第２通信リソースプール又は第１通信のために使用される第１通信リソースプールを提供しない。
【０２２１】
したがって、第３ＳＩＢを検出した後に、ＲＲＣアイドル状態のユーザ機器は、ＲＲＣ接続状態に入り、基地局へ第１通信リソース要求を送信する。
【０２２２】
方法３は、図２Ｃに示す実施形態に対応し、特定の処理プロセスは再び詳述されない。
【０２２３】
方法４。第１通信リソースの使用モードが独立モードである場合、基地局は第４ＳＩＢをブロードキャストする。第４ＳＩＢは、第１通信のために使用される第１通信リソースプールを提供しない。
【０２２４】
したがって、第４ＳＩＢを検出した後に、ＲＲＣアイドル状態のユーザ機器は、ＲＲＣ接続状態に入り、基地局へ第１通信リソース要求を送信する。
【０２２５】
方法４は、図２Ｄに示す実施形態に対応し、特定の処理プロセスは再び詳述されない。
【０２２６】
方法５。第１通信リソースの使用モードが独立モードである場合、基地局は第５ＳＩＢをブロードキャストする。第５ＳＩＢは、第２通信のために使用される第２通信リソースプールを含み、第２通信リソースプールを使用することにより第１通信を実行するようユーザ機器に指示するために使用される指示メッセージを含まず、又はユーザ機器が第２通信リソースプールを使用することにより第１通信を実行できないことを示すために使用される指示メッセージを含む。
【０２２７】
したがって、第５ＳＩＢを検出した後に、ＲＲＣアイドル状態のユーザ機器は、ＲＲＣ接続状態に入り、ユーザ機器に第１通信リソースを割り当てるよう基地局に要求するために、基地局へ第１通信リソース要求を送信する。
【０２２８】
方法５は、図２Ｅに示す実施形態に対応し、特定の処理プロセスは再び詳述されない。
【０２２９】
方法６。基地局は第６ＳＩＢをブロードキャストする。第６ＳＩＢは、ＲＲＣ接続状態に入るよう、及び第１通信リソースを取得するために基地局へ第１通信リソース要求を送信するよう、ユーザ機器に指示するために使用される指示メッセージを含む。
【０２３０】
したがって、第６ＳＩＢを検出した後に、ＲＲＣアイドル状態のユーザ機器は、ＲＲＣ接続状態に入り、基地局へ第１通信リソース要求を送信する。
【０２３１】
方法６は、図２Ｆに示す実施形態に対応し、特定の処理プロセスは再び詳述されない。
【０２３２】
方法７。ＲＲＣアイドル状態のユーザ機器は、ＲＲＣ接続状態に直接入り、基地局へ第１通信リソース要求を送信する。
【０２３３】
方法７は、図２Ｇに示す実施形態に対応し、特定の処理プロセスは再び詳述されない。
【０２３４】
方法３〜方法６では、ユーザ機器がＲＲＣアイドル状態からＲＲＣ接続状態に入り、第１通信リソース要求を基地局へ送信した後、又はＲＲＣ接続状態に留まっているユーザ機器が第１通信リソース要求を基地局へ直接送信した後に、基地局は、第１通信リソース要求に従い、ＲＲＣ接続状態のユーザ機器に第１通信リソースを割り当てる。特定の実装は以下を含む。
【０２３５】
方法１。基地局は、第１ＲＲＣシグナリング又は第１ＭＡＣ  ＣＥを使用することにより、ユーザ機器へ、第２通信のために使用される第２通信リソースプールを使用することにより第１通信を実行するようユーザ機器に指示するために使用される指示メッセージを送信する。
【０２３６】
したがって、ユーザ機器は、第２通信リソースプールから第１通信リソースを選択する。
【０２３７】
方法１は、図３Ａに示す実施形態に対応し、特定の処理プロセスは再び詳述されない。
【０２３８】
方法２。基地局は、第２ＲＲＣシグナリング又は第２ＭＡＣ  ＣＥを使用することにより、ユーザ機器へ、第１通信リソースを取得するためにＳＬ−ＲＮＴＩを再利用するようユーザ機器に指示するために使用される指示メッセージを送信する。
【０２３９】
ＳＬ−ＲＮＴＩは、第２通信のために使用される通信リソースをスケジューリングするために使用されるＲＮＴＩである。
【０２４０】
したがって、ユーザ機器は、ＳＬ−ＲＮＴＩに従い、基地局により割り当てられた第２通信リソースを取得し、第２通信リソースを第１通信リソースとして再利用する。
【０２４１】
方法２は、図３Ｂに示す実施形態に対応し、特定の処理プロセスは再び詳述されない。
【０２４２】
方法３。基地局は、第４ＲＲＣシグナリング又は第４ＭＡＣ  ＣＥを使用することにより、ユーザ機器へ第１通信リソースプールを送信する。
【０２４３】
したがって、ユーザ機器は、第１通信リソースプールから第１通信リソースを選択する。
【０２４４】
方法３は、図３Ｃに示す実施形態に対応し、特定の処理プロセスは再び詳述されない。
【０２４５】
方法４。基地局は、第５ＲＲＣシグナリング又は第５ＭＡＣ  ＣＥを使用することにより、ユーザ機器へＮｅｗ−ＲＮＴＩを送信する。
【０２４６】
Ｎｅｗ−ＲＮＴＩは、第１通信のために使用される通信リソースをスケジューリングするために使用されるＲＮＴＩである。
【０２４７】
さらに、ユーザ機器は、Ｎｅｗ−ＲＮＴＩに従い第１通信リソースを取得する。
【０２４８】
方法４は、図３Ｄに示す実施形態に対応し、特定の処理プロセスは再び詳述されない。
【０２４９】
留意すべきことに、基地局が第１通信リソース要求に従い第１通信リソースをＲＲＣ接続状態のユーザ機器に割り当てる前に、基地局は、先ず、ＵＥ  Ａが第１通信を実行することを許可するか否かを決定して良い。決定の基礎は、例えば、現在リソースが十分か否かであって良い。現在リソースが十分である場合、ＵＥ  Ａは、第１通信を実行することを許可されて良く、第１通信リソースがＵＥ  Ａに割り当てられる。反対に、現在リソースが不十分である場合、ＵＥ  Ａは第１通信を実行することを許可されない。相応して、基地局は、ＲＲＣシグナリング又はＭＡＣ  ＣＥを使用することによりＵＥ  Ａへリソース拒否メッセージを送信して良く、ＵＥ  Ａにリソースを割り当てない。
【０２５０】
具体的に、基地局は、第３ＲＲＣシグナリング又は第３ＭＡＣ  ＣＥを使用することにより、ＵＥ  Ａへリソース拒否メッセージを送信する。リソース拒否メッセージはリソース拒否指示を含み、リソース拒否指示は、ＵＥ  Ａが第２通信リソースプールを使用することを禁止することを指示するため、及び／又はＵＥ  Ａが第２通信のために使用される通信リソースをスケジューリングするために使用される割り当てられたＳＬ−ＲＮＴＩを使用することを禁止することを指示するために、使用される。したがって、リソース拒否指示に従い、ＵＥ  Ａは、第１通信を実行するために第２通信リソースプールを使用しない、又は第１通信を実行するために対応するリソースを取得するためにＳＬ−ＲＮＴＩを使用しない。代替で、ＵＥ  Ａが基地局のリソース割り当てに関する情報を受信しない場合、第１通信が実行できないことが決定される。
【０２５１】
前述の実装は、基地局による、ユーザ機器への第１通信リソースの割り当ての実施を記載した。この実装が適用可能な通信シナリオは、図１又は図４に示され得る。ユーザ機器はＵＥ  Ａ又はＵＥ  Ｃに対応する。図４のシナリオでは、第１通信は具体的に中継通信である。基地局により送信された参照信号の受信の参照信号受信強度が所定閾より低いことを決定すると、ＵＥ  Ａは、中継通信が実行される必要のあることを決定する。したがって、中継通信を実行するためにユーザ機器により必要とされる第１通信リソースが、ＵＥ  Ｃとの中継通信を実行するために、前述の実装を参照して取得され得る。図４において、ＵＥ  Ｃが第１通信リソースを取得する方法は、ＵＥ  Ａが第１通信リソースを取得する方法と同じである。
【０２５２】
基地局は、第１通信についてのリソース制御を実施するためにユーザ機器に第１通信リソースを割り当てて良く、基地局は、ユーザ機器の第１通信を停止することにより、ユーザ機器の第１通信を更に制御して良い。
【０２５３】
以下は、図１又は図４に示す通信シナリオを参照して、基地局が第１通信を停止するようユーザ機器をどのように制御するかを記載する。
【０２５４】
通信シナリオにおけるＵＥ  Ａについて、ＵＥ  Ａの第１通信は、以下の方法ａ又は方法ｂで停止されて良い。方法ａ及び方法ｂは、ＵＥ  Ｃにも適用可能であり、繰り返し部分は再び記載されない。
【０２５５】
方法ａ。基地局は、ＲＲＣシグナリング又はＭＡＣ  ＣＥを使用することにより、ＵＥ  Ａへ情報を送信する。
【０２５６】
該情報は、第１通信を停止するよう又は第１通信のために使用されるリソースの使用を停止するよう、及び／又は第１通信のために使用される通信リソースをスケジューリングするために使用される構成されたＮｅｗ−ＲＮＴＩの使用を停止するよう、及び／又は第２通信のために使用される通信リソースをスケジューリングするために使用される構成されたＳＬ−ＲＮＴＩの使用を停止するよう、ＵＥ  Ａに指示するために使用され、第１通信のために使用されるリソースは、第１通信リソースプール及び第２通信リソースプールを含む。
【０２５７】
したがって、ＵＥ  Ａは情報を実行する。
【０２５８】
方法ａは、図６に示す実施形態に対応し、特定の処理プロセスは再び詳述されない。
【０２５９】
方法ｂ。基地局は、ＰＤＣＣＨ又はｅＰＤＣＣＨを使用することにより、ＵＥ  Ａへ、ＳＬ−ＲＮＴＩ又はＮｅｗ−ＲＮＴＩを使用することによりスクランブリングされた許可メッセージを送信して良い。許可メッセージは、第１通信を停止するよう指示するために使用される指示メッセージを含む。
【０２６０】
ＳＬ−ＲＮＴＩは、第２通信のために使用される通信リソースをスケジューリングするために使用されるＲＮＴＩである。Ｎｅｗ−ＲＮＴＩは、第１通信のために使用される通信リソースをスケジューリングするために使用されるＲＮＴＩである。したがって、対応するＳＬ−ＲＮＴＩ又はＮｅｗ−ＲＮＴＩに従い、第１通信を停止するよう指示するために使用される指示メッセージを取得すると、ＵＥ  Ａは第１通信の実行を停止する。
【０２６１】
許可メッセージがＵＥ  Ａへ送信されるとき、ＳＬ−ＲＮＴＩ及びＮｅｗ−ＲＮＴＩはＵＥ  Ａに対応する。許可メッセージがＵＥ  Ｃへ送信されるとき、ＳＬ−ＲＮＴＩ及びＮｅｗ−ＲＮＴＩはＵＥ  Ｃに対応する。
【０２６２】
方法ｂは、図７に示す実施形態に対応し、特定の処理プロセスは再び詳述されない。
【０２６３】
留意すべきことに、方法ａ及び方法ｂでは、基地局は、以下の方法に基づき、方法ａ及び方法ｂを実行すべきかを決定して良い。
【０２６４】
具体的に、例えば、基地局は、基地局の無線リソースが不十分である又は基地局が過負荷であることを検出すると、第１通信方法で通信を実行することを停止するようユーザ機器を制御して良く、それにより基地局の負荷を低減する。
【０２６５】
さらに、基地局は、さらに、ユーザ機器（ＵＥ  Ａ及びＵＥ  Ｃ）により報告された測定イベント及び／又は測定結果に基づき、方法ａ及び方法ｂを実行すべきかを決定して良い。
【０２６６】
具体的に、図４に示す通信シナリオにおけるＵＥ  Ａが一例として使用され、ＵＥ  ＡがＵＥ  Ｃを使用することによりネットワークにアクセスした後に、測定イベントが測定されると、測定イベントは基地局に報告される。測定イベントは、ＵＥ  Ａと基地局との間のチャネルの品質が良好であり、ＵＥ  Ａが、基地局を使用することによりセルラ通信を実行でき、及びＵＥ  Ｃを使用することにより中継方法でネットワークにアクセスする必要がないことを示す。この場合、基地局は、第１通信方法で通信を実行し続けることを停止するようＵＥ  Ａを制御するようトリガされる。
【０２６７】
さらに、基地局は、更に、ユーザ機器ＵＥ  Ａにより報告された測定結果に基づき、第１通信方法で通信を実行し続けることを停止するようＵＥ  Ａを制御するか否かを決定して良い。具体的に、ＵＥ  Ｃを使用することによりネットワークにアクセスした後に、ＵＥ  Ａは、周期的に、例えばＲＳＲＰ及び／又は参照信号受信品質ＲＳＲＱを検出し、基地局へ測定結果を報告して良い。測定結果に従い、対応するＰＳＲＰ及びＲＳＲＱが特定条件を満たす、つまり特定閾より大きいことを決定すると、基地局は、第１通信方法で通信を実行し続けることを停止するようＵＥ  Ａを制御する。
【０２６８】
図８は、本発明の一実施形態によるユーザ機器の実施形態１の概略構造図である。図８に示すように、ユーザ機器は、第１通信を実行する必要のあるとき、基地局から、第１通信のために必要な第１通信リソースを取得するよう構成される。ユーザ機器は第１取得モジュール１１を含み、又はユーザ機器は状態切り換えモジュール１２及び送信モジュール１３を含む。
【０２６９】
第１取得モジュール１１は、ユーザ機器がＲＲＣアイドル状態であるとき、基地局によりブロードキャストされたシステム情報ブロックＳＩＢを受信することにより、第１通信リソースを取得するよう構成される。
【０２７０】
状態切り換えモジュール１２は、ユーザ機器がＲＲＣアイドル状態であるとき、ＲＲＣ接続状態に入るようユーザ機器を制御するよう構成される。
【０２７１】
送信モジュール１３は、第１通信リソース要求を基地局へ送信するよう構成され、第１通信リソース要求は第１通信リソースを割り当てるよう基地局に要求するために使用される。
【０２７２】
送信モジュール１３は、ユーザ機器がＲＲＣ接続状態であるとき、第１通信リソース要求を基地局へ送信するよう更に構成される。
【０２７３】
ユーザ機器は、第１通信リソースの使用モードに従い第１通信リソースを取得するよう構成される。第１通信リソースの使用モードは、共有モード及び独立モードを含む。共有モードは、第１通信リソース及び第２通信リソースが共有可能であることを意味し、独立モードは、第１通信リソース及び第２通信リソースが独立に使用されることを意味する。第１通信リソースの使用モードは、プロトコルの中で定められる、又はＲＲＣメッセージを使用することにより構成される。第２通信リソースは、第２通信が実行されるときに使用される対応する通信リソースである。
【０２７４】
任意で、第１取得モジュール１１は、第１取得サブモジュール１１１又は第２取得サブモジュール１１２を含む。
【０２７５】
第１取得サブモジュール１１１は、第１通信リソースの使用モードが共有モードであり、基地局によりブロードキャストされたＳＩＢが第１通信のために使用される第２通信リソースプールを含み、及び第２通信リソースプールを使用することにより第１通信を実行するようユーザ機器に指示するために使用される指示メッセージを含む場合、ユーザ機器が、ＲＲＣアイドル状態に留まること、及び第２通信のために使用され且つ基地局によりブロードキャストされたＳＩＢに含まれる第２通信リソースプールから第１通信のために使用される第１通信リソースを取得できるようにする。
【０２７６】
第２取得サブモジュール１１２は、第１通信リソースの使用モードが独立モードであり、基地局によりブロードキャストされたＳＩＢが第１通信のために使用される第１通信リソースプールを含む場合、ユーザ機器が、ＲＲＣアイドル状態に留まること、及び第１通信のために使用され且つ基地局によりブロードキャストされたＳＩＢに含まれる第１通信リソースプールから第１通信のために使用される第１通信リソースを取得できるようにするよう構成される。
【０２７７】
状態切り換えモジュール１２は、具体的に、
第１通信リソースの使用モードが共有モードであり、基地局によりブロードキャストされたＳＩＢが、第２通信のために使用される第２通信リソースプール又は第１通信のために使用される第１通信リソースプールを提供しない場合、ＲＲＣ接続状態に入るようユーザ機器を制御するよう構成され、又は、
状態切り換えモジュール１２は、具体的に、
第１通信リソースの使用モードが独立モードであり、基地局によりブロードキャストされたＳＩＢが、第１通信のために使用される第１通信リソースプールを提供しない場合、ＲＲＣ接続状態に入るようユーザ機器を制御するよう構成され、又は、
状態切り換えモジュールは、具体的に、
第１通信リソースの使用モードが独立モードであり、基地局によりブロードキャストされたＳＩＢが、第２通信のために使用される第２通信リソースプールを含み、第２通信リソースプールを使用することにより第１通信を実行するようユーザ機器に指示するために使用される指示メッセージを含まず、又はユーザ機器が第２通信リソースプールを使用することにより第１通信を実行できないことを示すために使用される指示メッセージを含む場合、ＲＲＣ接続状態に入るようユーザ機器を制御するよう構成され、又は、
状態切り換えモジュール１２は、具体的に、
基地局によりブロードキャストされたＳＩＢが、ＲＲＣ接続状態に入るよう及び第１通信リソースを取得するために基地局へ第１通信リソース要求を送信するよう、ユーザ機器に指示するために使用される指示メッセージを含む場合、ＲＲＣ接続状態に入るようユーザ機器を制御するよう構成される。
【０２７８】
任意で、ユーザ機器は、第１受信モジュール２１及び第１選択モジュール２２を更に含む。
【０２７９】
第１受信モジュール２１は、基地局が第１ＲＲＣシグナリング又は第１媒体アクセス制御制御要素ＭＡＣ  ＣＥを使用することにより、ユーザ機器へ、第２通信のために使用される第２通信リソースプールを使用することにより第１通信を実行するようユーザ機器に指示することを示す指示メッセージを受信するよう構成される。
【０２８０】
第１選択モジュール２２は、第２通信リソースプールから第１通信リソースを選択するよう構成される。
【０２８１】
任意で、ユーザ機器は、第２受信モジュール２３及び第２取得モジュール２４を更に含む。
【０２８２】
第２受信モジュール２３は、基地局が第２ＲＲＣシグナリング又は第２ＭＡＣ  ＣＥを使用することにより、第１通信リソースを取得するためにサイドリンク無線ネットワーク一時識別子ＳＬ−ＲＮＴＩを再利用するようユーザ機器に指示することを示す指示メッセージを受信するよう構成される。ここで、ＳＬ−ＲＮＴＩは、第２通信のために使用される通信リソースをスケジューリングするために使用されるＲＮＴＩである。
【０２８３】
第２取得モジュール２４は、ＳＬ−ＲＮＴＩに従い、基地局により割り当てられた第２通信リソースを取得し、第２通信リソースを第１通信リソースとして使用するよう構成される。
【０２８４】
任意で、ユーザ機器は、第３受信モジュール２５を更に含む。
【０２８５】
第３受信モジュール２５は、第３ＲＲＣシグナリング又は第３媒体アクセス制御制御要素ＭＡＣ  ＣＥを使用することにより基地局によりユーザ機器へ送信されたリソース拒否メッセージを受信するよう構成される。
【０２８６】
リソース拒否メッセージはリソース拒否指示を含み、リソース拒否指示は、ユーザ機器が第２通信リソースプールを使用することを禁止することを指示するため、及び／又はユーザ機器が第２通信のために使用される通信リソースをスケジューリングするために使用される割り当てられたＳＬ−ＲＮＴＩを使用することを禁止することを指示するために、使用される。
【０２８７】
任意で、ユーザ機器は、決定モジュール２６を更に含む。
【０２８８】
決定モジュール２６は、ユーザ機器が基地局のリソース割り当てに関する情報を受信しない場合、第１通信が実行できないことを決定するよう構成される。
【０２８９】
任意で、ユーザ機器は、第４受信モジュール２７及び第２選択モジュール２８を更に含む。
【０２９０】
第４受信モジュール２７は、第４ＲＲＣシグナリング又は第４ＭＡＣ  ＣＥを使用することにより基地局により送信された第１通信リソースプールを受信するよう構成される。
【０２９１】
第２選択モジュール２８は、第１通信リソースプールから第１通信リソースを選択するよう構成される。
【０２９２】
任意で、ユーザ機器は、第５受信モジュール２９及び第３取得モジュール３０を更に含む。
【０２９３】
第５受信モジュール２９は、第５ＲＲＣシグナリング又は第５ＭＡＣ  ＣＥを使用することにより基地局により送信された新無線ネットワーク一時識別子Ｎｅｗ−ＲＮＴＩを受信するよう構成される。ここで、Ｎｅｗ−ＲＮＴＩは、第１通信のために使用される通信リソースをスケジューリングするために使用されるＲＮＴＩである。
【０２９４】
第３取得モジュール３０は、Ｎｅｗ−ＲＮＴＩに従い第１通信リソースを取得するよう構成される。
【０２９５】
第１通信は、ユニキャストＤ２Ｄ通信又は中継通信であり、第２通信はマルチキャストＤ２Ｄ通信である。
【０２９６】
ユーザ機器は、リモートユーザ機器又は中継ユーザ機器である。
【０２９７】
図８に示す実施形態における任意的実装は、図２、図２Ａ〜図２Ｇ、及び図３Ａ〜図３Ｄのユーザ機器の技術的ソリューションを実行するために使用され得る。それらの実装原理及び技術的効果は同様であり、詳細はここに再び記載されない。
【０２９８】
図９は、本発明の一実施形態によるユーザ機器の実施形態２の概略構造図である。ユーザ機器は、第１通信を実行するよう構成される。図９に示すように、ユーザ機器は、受信モジュール３１及び通信制御モジュール３２を含む。
【０２９９】
受信モジュール３１は、基地局によりＲＲＣシグナリング又はＭＡＣ  ＣＥを使用することにより送信された情報を受信するよう構成される。ここで、該情報は、第１通信を停止するよう又は第１通信のために使用されるリソースの使用を停止するよう、及び／又は第１通信のために使用される通信リソースをスケジューリングするために使用される構成されたＮｅｗ−ＲＮＴＩの使用を停止するよう、及び／又は第２通信のために使用される通信リソースをスケジューリングするために使用される構成されたＳＬ−ＲＮＴＩの使用を停止するよう、ユーザ機器に指示するために使用され、第１通信のために使用されるリソースは、第１通信リソースプール及び第２通信リソースプールを含む。
【０３００】
通信制御モジュール３２は、情報に従い、第１通信を停止し、又は第１通信のために使用されるリソースの使用を停止し、及び／又は第１通信のために使用される通信リソースをスケジューリングするために使用される構成されたＮｅｗ−ＲＮＴＩの使用を停止し、及び／又は第２通信のために使用される通信リソースをスケジューリングするために使用される構成されたＳＬ−ＲＮＴＩの使用を停止するよう構成される。
【０３０１】
任意で、受信モジュール３１は、ＰＤＣＣＨ又はｅＰＤＣＣＨを使用することにより基地局により送信され且つＳＬ−ＲＮＴＩ又はＮｅｗ−ＲＮＴＩを使用することによりスクランブリングされた許可メッセージを受信するよう更に構成される。ここで、許可メッセージは、第１通信を停止するよう指示するために使用される指示メッセージを含み、ＳＬ−ＲＮＴＩは第２通信のために使用される通信リソースをスケジューリングするために使用されるＲＮＴＩであり、Ｎｅｗ−ＲＮＴＩは第１通信のために使用される通信リソースをスケジューリングするために使用されるＲＮＴＩである。
【０３０２】
通信制御モジュール３２は、対応するＳＬ−ＲＮＴＩ又はＮｅｗ−ＲＮＴＩに従い、第１通信を停止するよう指示するために使用される指示メッセージを取得し、第１通信の実行を停止するよう更に構成される。
【０３０３】
ＭＡＣ  ＣＥは、特定の論理チャネルインデックス識別子のＭＡＣ  ＰＤＵサブヘッダを含み、又は、
ＭＡＣ  ＣＥは、第１通信の停止されるユーザ機器の識別子、及び／又は第１通信を停止するようユーザ機器に指示するために使用される指示情報、を含む。
【０３０４】
第１通信は、ユニキャストＤ２Ｄ通信又は中継通信であり、第２通信はマルチキャストＤ２Ｄ通信である。
【０３０５】
ユーザ機器は、リモートユーザ機器又は中継ユーザ機器である。
【０３０６】
任意で、ユーザ機器は、送信モジュール３３を更に含む。
【０３０７】
送信モジュール３３は、基地局へ測定イベントを報告するよう構成される。ここで、測定イベントは、基地局からのユーザ機器による受信の信号強度及び／又はリンク品質が特定条件を満たすことを示し、及び／又は、基地局へ測定結果を報告するよう構成される。ここで、測定結果は、ＲＳＲＰ及び／又はＲＳＲＱを含む。
【０３０８】
本実施形態で提供されるユーザ機器は、図６又は図７に示す実施形態のユーザ機器の技術的ソリューションを実行するよう構成される。それらの実装原理及び技術的効果は同様であり、詳細は再び記載されない。
【０３０９】
図１０は、本発明の一実施形態による基地局の実施形態１の概略構造図である。基地局は、第１通信を実行する必要のあるユーザ機器に、第１通信のために必要な第１通信リソースを割り当てるよう構成される。図１０に示すように、基地局は、送信モジュール４１、又は受信モジュール４２及び割り当てモジュール４３を含む。
【０３１０】
送信モジュール４１は、ＲＲＣアイドル状態であるユーザ機器がＳＩＢに従い第１通信リソースを取得できるように、第１通信リソースを伝達するＳＩＢをブロードキャストするよう構成される。
【０３１１】
受信モジュール４２は、ＲＲＣ接続状態のユーザ機器により送信された第１通信リソース要求を受信するよう構成される。
【０３１２】
割り当てモジュール４３は、第１通信リソース要求に従い、ＲＲＣ接続状態のユーザ機器に第１通信リソースを割り当てるよう構成される。
【０３１３】
基地局は、第１通信リソースの使用モードに従い、第１通信のために必要な第１通信リソースをユーザ機器に割り当てる。第１通信リソースの使用モードは、共有モード及び独立モードを含む。共有モードは、第１通信リソース及び第２通信リソースが共有可能であることを意味し、独立モードは、第１通信リソース及び第２通信リソースが独立に使用されることを意味する。
【０３１４】
第１通信リソースの使用モードは、プロトコルの中で定められる、又はＲＲＣメッセージを使用することにより構成される。第２通信リソースは、第２通信が実行されるときに使用される対応する通信リソースである。
【０３１５】
任意で、送信モジュール４１は、具体的に、第１通信リソースの使用モードが共有モードである場合、第１ＳＩＢをブロードキャストするよう構成される。ここで、第１ＳＩＢは、第２通信のために使用される第２通信リソースプールを含み、第２通信リソースプールを使用することにより第１通信を実行するようユーザ機器に指示するために使用される指示メッセージを含み、第１ＳＩＢは、ＲＲＣアイドル状態のユーザ機器がＲＲＣアイドル状態に留まり、第２通信リソースプールから第１通信リソースを選択することを可能にする。
【０３１６】
任意で、送信モジュール４１は、具体的に、第１通信リソースの使用モードが独立モードである場合、第２ＳＩＢをブロードキャストするよう構成される。ここで、第２ＳＩＢは、第１通信のために使用される第１通信リソースプールを含み、第２ＳＩＢは、ＲＲＣアイドル状態のユーザ機器がＲＲＣアイドル状態に留まり、第１通信リソースプールから第１通信リソースを選択することを可能にする。
【０３１７】
任意で、送信モジュール４１は、第１通信リソースの使用モードが共有モードである場合、第３ＳＩＢをブロードキャストするよう更に構成される。ここで、第３ＳＩＢは、第２通信のために使用される第２通信リソースプール又は第１通信のために使用される第１通信リソースプールを提供せず、第３ＳＩＢは、ＲＲＣアイドル状態のユーザ機器がＲＲＣ接続状態に入り、基地局へ第１通信リソース要求を送信することを可能にする。
【０３１８】
任意で、送信モジュール４１は、第１通信リソースの使用モードが独立モードである場合、第４ＳＩＢをブロードキャストするよう更に構成される。ここで、第４ＳＩＢは、第１通信のために使用される第１通信リソースプールを提供せず、第４ＳＩＢは、ＲＲＣアイドル状態のユーザ機器がＲＲＣ接続状態に入り、基地局へ第１通信リソース要求を送信することを可能にする。
【０３１９】
任意で、送信モジュール４１は、第１通信リソースの使用モードが独立モードである場合、第５ＳＩＢをブロードキャストするよう更に構成される。ここで、第５ＳＩＢは、第２通信のために使用される第２通信リソースプールを含み、第２通信リソースプールを使用することにより第１通信を実行するようユーザ機器に指示するために使用される指示メッセージを含まず、又はユーザ機器が第２通信リソースプールを使用することにより第１通信を実行できないことを示すために使用される指示メッセージを含み、第５ＳＩＢは、ＲＲＣアイドル状態のユーザ機器がＲＲＣ接続状態に入り、基地局へ第１通信リソース要求を送信することを可能にする。
【０３２０】
任意で、送信モジュール４１は、第６ＳＩＢをブロードキャストするよう更に構成される。ここで、第６ＳＩＢは、ＲＲＣ接続状態に入り、第１通信リソースを取得するために第１通信リソース要求を基地局へ送信するようユーザ機器に指示するために使用される指示メッセージを含み、第６ＳＩＢは、ＲＲＣアイドル状態のユーザ機器がＲＲＣ接続状態に入り、基地局へ第１通信リソース要求を送信することを可能にする。
【０３２１】
任意で、割り当てモジュール４３は、第１送信ユニット４３１又は第２送信ユニット４３２を含む。
【０３２２】
第１送信ユニット４３１は、ユーザ機器が第２通信リソースプールから第１通信リソースを選択できるように、第１ＲＲＣシグナリング又は第１媒体アクセス制御制御要素ＭＡＣ  ＣＥを使用することにより、第２通信のために使用される第２通信リソースプールを使用することにより第１通信を実行するようユーザ機器に指示するために使用される指示メッセージをユーザ機器へ送信するよう構成される。
【０３２３】
第２送信ユニット４３２は、ユーザ機器がＳＬ−ＲＮＴＩに従い、基地局により割り当てられた第２通信リソースを取得し、第２通信リソースを第１通信リソースとして使用できるように、第２ＲＲＣシグナリング又は第２ＭＡＣ  ＣＥを使用することにより、第１通信リソースを取得するためにＳＬ−ＲＮＴＩを再利用するようユーザ機器に指示するために使用される指示メッセージをユーザ機器へ送信するよう構成される。ここで、ＳＬ−ＲＮＴＩは第２通信のために使用される通信リソースをスケジューリングするために使用されるＲＮＴＩである。
【０３２４】
任意で、送信モジュール４１は、第３ＲＲＣシグナリング又は第３ＭＡＣ  ＣＥを使用することにより、リソース拒否メッセージをユーザ機器へ送信するよう更に構成される。ここで、リソース拒否メッセージはリソース拒否指示を含み、リソース拒否指示は、ユーザ機器が第２通信リソースプールを使用することを禁止することを指示する、及び／又はユーザ機器が第２通信のために使用される通信リソースをスケジューリングするために使用される割り当てられたＳＬ−ＲＮＴＩを使用することを禁止することを指示するために使用される。
【０３２５】
任意で、送信モジュール４１は、第１通信が実行できないことをユーザ機器が決定できるように、リソース割り当てに関する情報の送信をスキップするよう制御される。
【０３２６】
任意で、割り当てモジュール４３は、第３送信ユニット４３３又は第４送信ユニット４３４を含む。
【０３２７】
第３送信ユニット４３３は、ユーザ機器が第１通信リソースプールから第１通信リソースを選択できるように、第４ＲＲＣシグナリング又は第４ＭＡＣ  ＣＥを使用することによりユーザ機器へ第１通信リソースプールを送信するよう構成される。
【０３２８】
第４送信ユニット４３４は、ユーザ機器がＮｅｗ−ＲＮＴＩに従い第１通信リソースを取得できるように、第５ＲＲＣシグナリング又は第５ＭＡＣ  ＣＥを使用することによりＮｅｗ−ＲＮＴＩをユーザ機器へ送信するよう構成される。ここで、Ｎｅｗ−ＲＮＴＩは、第１通信のために使用される通信リソースをスケジューリングするために使用されるＲＮＴＩである。
【０３２９】
第１通信は、ユニキャストＤ２Ｄ通信又は中継通信を含み、第２通信はマルチキャストＤ２Ｄ通信を含む。
【０３３０】
ユーザ機器は、リモートユーザ機器又は中継ユーザ機器である。
【０３３１】
本実施形態で提供される基地局は、方法１〜方法７、及び前述の実施形態の基地局により実行される方法１〜方法４の技術的ソリューションを実行するよう構成され得る。それらの実装原理及び技術的効果は同様であり、詳細は再び記載されない。
【０３３２】
図１１は、本発明の一実施形態による基地局の実施形態２の概略構造図である。基地局は、第１通信を制御するよう構成される。図１１に示すように、基地局は、第１送信モジュール６１又は第２送信モジュール６２を含む。
【０３３３】
第１送信モジュール６１は、ＲＲＣシグナリング又はＭＡＣ  ＣＥを使用することによりユーザ機器へ情報を送信するよう構成される。ここで、該情報は、第１通信を停止するよう又は第１通信のために使用されるリソースの使用を停止するよう、及び／又は第１通信のために使用される通信リソースをスケジューリングするために使用される構成されたＮｅｗ−ＲＮＴＩの使用を停止するよう、及び／又は第２通信のために使用される通信リソースをスケジューリングするために使用される構成されたＳＬ−ＲＮＴＩの使用を停止するよう、ユーザ機器に指示するために使用され、第１通信のために使用されるリソースは、第１通信リソースプール及び第２通信リソースプールを含む。
【０３３４】
第２送信モジュール６２は、ユーザ機器が、対応するＳＬ−ＲＮＴＩ又はＮｅｗ−ＲＮＴＩに従い第１通信を停止するよう指示するために使用される指示メッセージを取得すると、第１通信の実行を停止できるように、ＰＤＣＣＨ又はｅＰＤＣＣＨを使用することにより、ＳＬ−ＲＮＴＩ又はＮｅｗ−ＲＮＴＩを使用することによりスクランブリングされた許可メッセージをユーザ機器へ送信するよう更に構成される。ここで、許可メッセージは、第１通信を停止するよう指示するために使用される指示メッセージを含み、ＳＬ−ＲＮＴＩは第２通信のために使用される通信リソースをスケジューリングするために使用されるＲＮＴＩであり、Ｎｅｗ−ＲＮＴＩは第１通信のために使用される通信リソースをスケジューリングするために使用されるＲＮＴＩである。
【０３３５】
ＭＡＣ  ＣＥは、特定の論理チャネルインデックス識別子のＭＡＣ  ＰＤＵサブヘッダを含み、又は、
ＭＡＣ  ＣＥは、第１通信の停止されるユーザ機器の識別子、及び／又は第１通信を停止するようユーザ機器に指示するために使用される指示情報、を含む。
【０３３６】
第１通信は、ユニキャストＤ２Ｄ通信又は中継通信であり、第２通信はマルチキャストＤ２Ｄ通信である。
【０３３７】
ユーザ機器は、リモートユーザ機器又は中継ユーザ機器である。
【０３３８】
任意で、基地局は、受信モジュール６３を更に含む。
【０３３９】
受信モジュール６３は、ユーザ機器により報告された測定イベントを受信するよう構成される。ここで、測定イベントは、基地局からのユーザ機器による受信の信号強度及び／又はリンク品質が特定条件を満たすことを示し、及び／又は、
ユーザ機器により報告された測定結果を受信し、測定結果が特定条件を満たすか否かを決定し、測定結果は、ＲＳＲＰ及び／又はＲＳＲＱを含む。
【０３４０】
本実施形態で提供される基地局は、前述の実施形態の基地局により実行される方法ａ及び方法ｂの技術的ソリューションを実行するよう構成され得る。それらの実装原理及び技術的効果は同様であり、詳細は再び記載されない。
【０３４１】
図１２は、本発明の一実施形態による別のユーザ機器の実施形態１の概略構造図である。ユーザ機器は、第１通信を実行する必要のあるとき、基地局から、第１通信のために必要な第１通信リソースを取得するよう構成される。図１２に示すように、ユーザ機器は、プロセッサ８１及び送信機８２を含む。
【０３４２】
プロセッサ８１は、ユーザ機器がＲＲＣアイドル状態であるとき、基地局によりブロードキャストされたシステム情報ブロックＳＩＢを受信することにより、第１通信リソースを取得するよう構成される。
【０３４３】
プロセッサは、ユーザ機器がＲＲＣアイドル状態であるとき、ＲＲＣ接続状態に入るようユーザ機器を制御するよう更に構成される。
【０３４４】
送信モジュール８２は、第１通信リソース要求を基地局へ送信するよう構成され、第１通信リソース要求は第１通信リソースを割り当てるよう基地局に要求するために使用される。
【０３４５】
送信機８２は、ユーザ機器がＲＲＣ接続状態であるとき、第１通信リソース要求を基地局へ送信するよう更に構成される。
【０３４６】
ユーザ機器は、第１通信リソースの使用モードに従い、第１通信リソースを取得するよう構成され、第１通信リソースの使用モードは共有モード及び独立モードを含み、
共有モードは、第１通信リソース及び第２通信リソースが共有可能であることを意味し、又は、
独立モードは、第１通信リソース及び第２通信リソースが独立して使用されることを意味し、
第１通信リソースの使用モードは、プロトコルの中で定められ、又はＲＲＣメッセージを用いて構成され、及び、
第２通信リソースは、第２通信が実行されるときに使用される対応する通信リソースである。
【０３４７】
任意で、プロセッサ８１は、第１通信リソースの使用モードが共有モードであり、基地局によりブロードキャストされたＳＩＢが第１通信のために使用される第２通信リソースプールを含み、及び第２通信リソースプールを使用することにより第１通信を実行するようユーザ機器に指示するために使用される指示メッセージを含む場合、ユーザ機器が、ＲＲＣアイドル状態に留まること、及び第２通信のために使用され且つ基地局によりブロードキャストされたＳＩＢに含まれる第２通信リソースプールから第１通信のために使用される第１通信リソースを取得できるようにする。
【０３４８】
任意で、プロセッサ８１は、第１通信リソースの使用モードが独立モードであり、基地局によりブロードキャストされたＳＩＢが第１通信のために使用される第１通信リソースプールを含む場合、ユーザ機器が、ＲＲＣアイドル状態に留まること、及び第１通信のために使用され且つ基地局によりブロードキャストされたＳＩＢに含まれる第１通信リソースプールから第１通信のために使用される第１通信リソースを取得できるようにするよう更に構成される。
【０３４９】
任意で、プロセッサ８１は、
第１通信リソースの使用モードが共有モードであり、基地局によりブロードキャストされたＳＩＢが第２通信のために使用される第２通信リソースプール又は第１通信のために使用される第１通信リソースプールを提供しない場合、ＲＲＣ接続状態に入るようユーザ機器を制御するよう更に構成される。
【０３５０】
任意で、プロセッサ８１は、
第１通信リソースの使用モードが独立モードであり、基地局によりブロードキャストされたＳＩＢが第１通信のために使用される第１通信リソースプールを提供しない場合、ＲＲＣ接続状態に入るようユーザ機器を制御するよう更に構成される。
【０３５１】
任意で、プロセッサ８１は、第１通信リソースの使用モードが独立モードである場合、基地局によりブロードキャストされたＳＩＢが、第２通信リソースプールを使用することにより第１通信を実行するようユーザ機器に指示するために使用される指示メッセージを含まず、又はユーザ機器が第２通信リソースプールを使用することにより第１通信を実行できないことを示すために使用される指示メッセージを含む場合、ＲＲＣ接続状態に入るようユーザ機器を制御するよう更に構成される。
【０３５２】
任意で、プロセッサ８１は、基地局によりブロードキャストされたＳＩＢが、ＲＲＣ接続状態に入るよう及び第１通信リソースを取得するために基地局へ第１通信リソース要求を送信するようユーザ機器に指示するために使用される指示メッセージを含む場合、ＲＲＣ接続状態に入るようユーザ機器を制御するよう更に構成される。
【０３５３】
任意で、ユーザ機器は、
基地局が第１ＲＲＣシグナリング又は第１媒体アクセス制御制御要素ＭＡＣ  ＣＥを使用することにより、第２通信のために使用される第２通信リソースプールを使用することにより第１通信を実行するようユーザ機器に指示することを示す指示メッセージを受信するよう構成される受信機、を更に含み、
プロセッサ８１は、第２通信リソースプールから第１通信リソースを選択するよう更に構成される。
【０３５４】
任意で、受信機８３は、基地局が第２ＲＲＣシグナリング又は第２ＭＡＣ  ＣＥを使用することにより、第１通信リソースを取得するためにサイドリンク無線ネットワーク一時識別子ＳＬ−ＲＮＴＩを再利用するようユーザ機器に指示することを示す指示メッセージを受信するよう更に構成される。ここで、ＳＬ−ＲＮＴＩは、第２通信のために使用される通信リソースをスケジューリングするために使用されるＲＮＴＩである。
【０３５５】
プロセッサ８１は、ＳＬ−ＲＮＴＩに従い、基地局により割り当てられた第２通信リソースを取得し、第２通信リソースを第１通信リソースとして使用するよう更に構成される。
【０３５６】
任意で、受信機８３は、第３ＲＲＣシグナリング又は第３媒体アクセス制御制御要素ＭＡＣ  ＣＥを使用することにより基地局によりユーザ機器へ送信されたリソース拒否メッセージを受信するよう更に構成される。
【０３５７】
リソース拒否メッセージはリソース拒否指示を含み、リソース拒否指示は、ユーザ機器が第２通信リソースプールを使用することを禁止することを指示するため、及び／又はユーザ機器が第２通信のために使用される通信リソースをスケジューリングするために使用される割り当てられたＳＬ−ＲＮＴＩを使用することを禁止することを指示するために、使用される。
【０３５８】
プロセッサ８１は、受信機が基地局のリソース割り当てに関する情報を受信しない場合、第１通信が実行できないことを決定するよう更に構成される。
【０３５９】
任意で、受信機８３は、第４ＲＲＣシグナリング又は第４ＭＡＣ  ＣＥを使用することにより基地局により送信された第１通信リソースプールを受信するよう更に構成される。
【０３６０】
プロセッサ８１は、第１通信リソースプールから第１通信リソースを選択するよう更に構成される。
【０３６１】
任意で、受信機８３は、第５ＲＲＣシグナリング又は第５ＭＡＣ  ＣＥを使用することにより基地局により送信された新無線ネットワーク一時識別子Ｎｅｗ−ＲＮＴＩを受信するよう更に構成される。ここで、Ｎｅｗ−ＲＮＴＩは、第１通信のために使用される通信リソースをスケジューリングするために使用されるＲＮＴＩである。
【０３６２】
プロセッサ８１は、Ｎｅｗ−ＲＮＴＩに従い第１通信リソースを取得するよう更に構成される。
【０３６３】
第１通信は、ユニキャストＤ２Ｄ通信又は中継通信であり、第２通信はマルチキャストＤ２Ｄ通信である。
【０３６４】
ユーザ機器は、リモートユーザ機器又は中継ユーザ機器である。
【０３６５】
図１２に示す実施形態のユーザ機器は、図２、図２Ａ〜図２Ｇ、図３Ａ〜図３Ｄの及び図５のユーザ機器の技術的ソリューションを実行するよう構成され得る。それらの実装原理及び技術的効果は同様であり、詳細はここに再び記載されない。
【０３６６】
図１３は、本発明の一実施形態による別のユーザ機器の実施形態２の概略構造図である。ユーザ機器は、第１通信を実行するよう構成される。図１３に示すように、ユーザ機器は、受信機９１及びプロセッサ９２を含む。
【０３６７】
受信機９１は、基地局によりＲＲＣシグナリング又はＭＡＣ  ＣＥを使用することにより送信された情報を受信するよう構成される。ここで、該情報は、第１通信を停止するよう又は第１通信のために使用されるリソースの使用を停止するよう、及び／又は第１通信のために使用される通信リソースをスケジューリングするために使用される構成されたＮｅｗ−ＲＮＴＩの使用を停止するよう、及び／又は第２通信のために使用される通信リソースをスケジューリングするために使用される構成されたＳＬ−ＲＮＴＩの使用を停止するよう、ユーザ機器に指示するために使用され、第１通信のために使用されるリソースは、第１通信リソースプール及び第２通信リソースプールを含む、及び、
プロセッサ９２は、情報に従い、第１通信を停止し、又は第１通信のために使用されるリソースの使用を停止し、及び／又は第１通信のために使用される通信リソースをスケジューリングするために使用される構成されたＮｅｗ−ＲＮＴＩの使用を停止し、及び／又は第２通信のために使用される通信リソースをスケジューリングするために使用される構成されたＳＬ−ＲＮＴＩの使用を停止するよう構成される、又は、
受信機９１は、ＰＤＣＣＨ又はｅＰＤＣＣＨを使用することにより基地局により送信され且つＳＬ−ＲＮＴＩ又はＮｅｗ−ＲＮＴＩを使用することによりスクランブリングされた許可メッセージを受信するよう更に構成され、許可メッセージは、第１通信を停止するよう指示するために使用される指示メッセージを含み、ＳＬ−ＲＮＴＩは第２通信のために使用される通信リソースをスケジューリングするために使用されるＲＮＴＩであり、Ｎｅｗ−ＲＮＴＩは第１通信のために使用される通信リソースをスケジューリングするために使用されるＲＮＴＩである、及び、
プロセッサ９２は、対応するＳＬ−ＲＮＴＩ又はＮｅｗ−ＲＮＴＩに従い、第１通信を停止するよう指示するために使用される指示メッセージを取得すると、第１通信の実行を停止するよう構成される。
【０３６８】
ＭＡＣ  ＣＥは、特定の論理チャネルインデックス識別子のＭＡＣ  ＰＤＵサブヘッダを含み、又は、
ＭＡＣ  ＣＥは、第１通信の停止されるユーザ機器の識別子、及び／又は第１通信を停止するようユーザ機器に指示するために使用される指示情報、を含む。
【０３６９】
第１通信は、ユニキャストＤ２Ｄ通信又は中継通信であり、第２通信はマルチキャストＤ２Ｄ通信である。
【０３７０】
ユーザ機器は、リモートユーザ機器又は中継ユーザ機器である。
【０３７１】
任意で、ユーザ機器は、送信機９３を更に含む。
【０３７２】
送信機９３は、基地局に測定イベントを報告するよう構成され、測定イベントは、基地局からのユーザ機器による受信の信号強度及び／又はリンク品質が特定条件を満たすことを示し、及び／又は、
基地局に測定結果を報告するよう構成され、測定結果はＲＳＲＰ及び／又はＲＳＲＱを含む。
【０３７３】
本実施形態で提供されるユーザ機器は、図６又は図７に示す実施形態のユーザ機器の技術的ソリューションを実行するよう構成される。それらの実装原理及び技術的効果は同様であり、詳細は再び記載されない。
【０３７４】
図１４は、本発明の一実施形態による別の基地局の実施形態１の概略構造図である。基地局は、第１通信を実行する必要のあるユーザ機器に、第１通信のために必要な第１通信リソースを割り当てるよう構成される。図１４に示すように、基地局は、送信機１４０１、又は受信機１４０２及びプロセッサ１４０３を含む。
【０３７５】
送信機１４０１は、ＲＲＣアイドル状態であるユーザ機器がＳＩＢに従い第１通信リソースを取得できるように、第１通信リソースを伝達するＳＩＢをブロードキャストするよう構成される。
【０３７６】
受信機１４０２は、ＲＲＣ接続状態のユーザ機器により送信された第１通信リソース要求を受信するよう構成される。
【０３７７】
プロセッサ１４０３は、第１通信リソース要求に従い、ＲＲＣ接続状態のユーザ機器に第１通信リソースを割り当てるよう構成される。
【０３７８】
基地局は、第１通信リソースの使用モードに従い、第１通信のために必要な第１通信リソースをユーザ機器に割り当て、第１通信リソースの使用モードは共有モード及び独立モードを含み、
共有モードは、第１通信リソース及び第２通信リソースが共有可能であることを意味し、又は、
独立モードは、第１通信リソース及び第２通信リソースが独立して使用されることを意味し、
第１通信リソースの使用モードは、プロトコルの中で定められ、又はＲＲＣメッセージを用いて構成され、及び、
第２通信リソースは、第２通信が実行されるときに使用される対応する通信リソースである。
【０３７９】
任意で、送信機１４０１は、第１通信リソースの使用モードが共有モードである場合、第１ＳＩＢをブロードキャストするよう更に構成される。ここで、第１ＳＩＢは、第２通信のために使用される第２通信リソースプールを含み、第２通信リソースプールを使用することにより第１通信を実行するようユーザ機器に指示するために使用される指示メッセージを含み、第１ＳＩＢは、ＲＲＣアイドル状態のユーザ機器がＲＲＣアイドル状態に留まり、第２通信リソースプールから第１通信リソースを選択することを可能にする。
【０３８０】
任意で、送信機１４０１は、第１通信リソースの使用モードが独立モードである場合、第２ＳＩＢをブロードキャストするよう更に構成される。ここで、第２ＳＩＢは、第１通信のために使用される第１通信リソースプールを含み、第２ＳＩＢは、ＲＲＣアイドル状態のユーザ機器がＲＲＣアイドル状態に留まり、第１通信リソースプールから第１通信リソースを選択することを可能にする。
【０３８１】
任意で、送信機１４０１は、第１通信リソースの使用モードが共有モードである場合、第３ＳＩＢをブロードキャストするよう更に構成される。ここで、第３ＳＩＢは、第２通信のために使用される第２通信リソースプール又は第１通信のために使用される第１通信リソースプールを提供せず、第３ＳＩＢは、ＲＲＣアイドル状態のユーザ機器がＲＲＣ接続状態に入り、基地局へ第１通信リソース要求を送信することを可能にする。
【０３８２】
任意で、送信機１４０１は、第１通信リソースの使用モードが独立モードである場合、第４ＳＩＢをブロードキャストするよう更に構成される。ここで、第４ＳＩＢは、第１通信のために使用される第１通信リソースプールを提供せず、第４ＳＩＢは、ＲＲＣアイドル状態のユーザ機器がＲＲＣ接続状態に入り、基地局へ第１通信リソース要求を送信することを可能にする。
【０３８３】
任意で、送信機１４０１は、第１通信リソースの使用モードが独立モードである場合、第５ＳＩＢをブロードキャストするよう更に構成される。ここで、第５ＳＩＢは、第２通信のために使用される第２通信リソースプールを含み、第２通信リソースプールを使用することにより第１通信を実行するようユーザ機器に指示するために使用される指示メッセージを含まず、又はユーザ機器が第２通信リソースプールを使用することにより第１通信を実行できないことを示すために使用される指示メッセージを含み、第５ＳＩＢは、ＲＲＣアイドル状態のユーザ機器がＲＲＣ接続状態に入り、基地局へ第１通信リソース要求を送信することを可能にする。
【０３８４】
任意で、送信機１４０１は、第６ＳＩＢをブロードキャストするよう更に構成される。ここで、第６ＳＩＢは、ＲＲＣ接続状態に入り、第１通信リソースを取得するために第１通信リソース要求を基地局へ送信するようユーザ機器に指示するために使用される指示メッセージを含み、第６ＳＩＢは、ＲＲＣアイドル状態のユーザ機器がＲＲＣ接続状態に入り、基地局へ第１通信リソース要求を送信することを可能にする。
【０３８５】
任意で、送信機１４０１は、ユーザ機器が第２通信リソースプールから第１通信リソースを選択できるように、第１ＲＲＣシグナリング又は第１媒体アクセス制御制御要素ＭＡＣ  ＣＥを使用することにより、第２通信のために使用される第２通信リソースプールを使用することにより第１通信を実行するようユーザ機器に指示するために使用される指示メッセージをユーザ機器へ送信するよう更に構成される。
【０３８６】
任意で、送信機１４０１は、ユーザ機器がＳＬ−ＲＮＴＩに従い、基地局により割り当てられた第２通信リソースを取得し、第２通信リソースを第１通信リソースとして使用できるように、第２ＲＲＣシグナリング又は第２ＭＡＣ  ＣＥを使用することにより、第１通信リソースを取得するためにＳＬ−ＲＮＴＩを再利用するようユーザ機器に指示するために使用される指示メッセージをユーザ機器へ送信するよう更に構成される。ここで、ＳＬ−ＲＮＴＩは第２通信のために使用される通信リソースをスケジューリングするために使用されるＲＮＴＩである。
【０３８７】
任意で、送信機１４０１は、第３ＲＲＣシグナリング又は第３ＭＡＣ  ＣＥを使用することにより、リソース拒否メッセージをユーザ機器へ送信するよう更に構成される。ここで、リソース拒否メッセージはリソース拒否指示を含み、リソース拒否指示は、ユーザ機器が第２通信リソースプールを使用することを禁止することを指示する、及び／又はユーザ機器が第２通信のために使用される通信リソースをスケジューリングするために使用される割り当てられたＳＬ−ＲＮＴＩを使用することを禁止することを指示するために使用される。
【０３８８】
任意で、送信機１４０１は、第１通信が実行できないことをユーザ機器が決定できるように、リソース割り当てに関する情報の送信をスキップするようプロセッサにより制御されるよう更に構成される。
【０３８９】
任意で、送信機１４０１は、ユーザ機器が第１通信リソースプールから第１通信リソースを選択できるように、第４ＲＲＣシグナリング又は第４ＭＡＣ  ＣＥを使用することによりユーザ機器へ第１通信リソースプールを送信するよう更に構成される。
【０３９０】
任意で、送信機１４０１は、ユーザ機器がＮｅｗ−ＲＮＴＩに従い第１通信リソースを取得できるように、第５ＲＲＣシグナリング又は第５ＭＡＣ  ＣＥを使用することによりＮｅｗ−ＲＮＴＩをユーザ機器へ送信するよう更に構成される。ここで、Ｎｅｗ−ＲＮＴＩは、第１通信のために使用される通信リソースをスケジューリングするために使用されるＲＮＴＩである。
【０３９１】
第１通信は、ユニキャストＤ２Ｄ通信又は中継通信を含み、第２通信はマルチキャストＤ２Ｄ通信を含む。
【０３９２】
ユーザ機器は、リモートユーザ機器又は中継ユーザ機器である。
【０３９３】
本実施形態で提供される基地局は、方法１〜方法７、及び前述の実施形態の基地局により実行される方法１〜方法４の技術的ソリューションを実行するよう構成され得る。それらの実装原理及び技術的効果は同様であり、詳細は再び記載されない。
【０３９４】
図１５は、本発明の一実施形態による別の基地局の実施形態２の概略構造図である。基地局は、第１通信を制御するよう構成される。図１５に示すように、基地局は送信機１５０１を含む。
【０３９５】
送信機１５０１は、ＲＲＣシグナリング又はＭＡＣ  ＣＥを使用することによりユーザ機器へ情報を送信するよう構成される。ここで、該情報は、第１通信を停止するよう又は第１通信のために使用されるリソースの使用を停止するよう、及び／又は第１通信のために使用される通信リソースをスケジューリングするために使用される構成されたＮｅｗ−ＲＮＴＩの使用を停止するよう、及び／又は第２通信のために使用される通信リソースをスケジューリングするために使用される構成されたＳＬ−ＲＮＴＩの使用を停止するよう、ユーザ機器に指示するために使用され、第１通信のために使用されるリソースは、第１通信リソースプール及び第２通信リソースプールを含む。
【０３９６】
任意で、送信機１５０１は、ユーザ機器が、対応するＳＬ−ＲＮＴＩ又はＮｅｗ−ＲＮＴＩに従い第１通信を停止するよう指示するために使用される指示メッセージを取得すると、第１通信の実行を停止できるように、ＰＤＣＣＨ又はｅＰＤＣＣＨを使用することにより、ＳＬ−ＲＮＴＩ又はＮｅｗ−ＲＮＴＩを使用することによりスクランブリングされた許可メッセージをユーザ機器へ送信するよう更に構成される。ここで、許可メッセージは、第１通信を停止するよう指示するために使用される指示メッセージを含み、ＳＬ−ＲＮＴＩは第２通信のために使用される通信リソースをスケジューリングするために使用されるＲＮＴＩであり、Ｎｅｗ−ＲＮＴＩは第１通信のために使用される通信リソースをスケジューリングするために使用されるＲＮＴＩである。
【０３９７】
ＭＡＣ  ＣＥは、特定の論理チャネルインデックス識別子のＭＡＣ  ＰＤＵサブヘッダを含み、又は、
ＭＡＣ  ＣＥは、第１通信の停止されるユーザ機器の識別子、及び／又は第１通信を停止するようユーザ機器に指示するために使用される指示情報、を含む。
【０３９８】
第１通信は、ユニキャストＤ２Ｄ通信又は中継通信であり、第２通信はマルチキャストＤ２Ｄ通信である。
【０３９９】
ユーザ機器は、リモートユーザ機器又は中継ユーザ機器である。
【０４００】
任意で、基地局は、ユーザ機器により報告された測定イベントを受信し、測定イベントは、基地局からのユーザ機器による受信の信号強度及び／又はリンク品質が特定条件を満たすことを示し、及び／又は、
ユーザ機器により報告された測定結果を受信し、測定結果が特定条件を満たすか否かを決定し、測定結果は、ＲＳＲＰ及び／又はＲＳＲＱを含む、よう構成される受信機１５０２を更に含む。
【０４０１】
本実施形態で提供される基地局は、前述の実施形態の基地局により実行される方法ａ及び方法ｂの技術的ソリューションを実行するよう構成され得る。それらの実装原理及び技術的効果は同様であり、詳細は再び記載されない。
【０４０２】
留意すべきことに、前述のユーザ機器及び基地局の実施形態では、プロセッサは、中央処理ユニット（英語：Central  Processing  Unit、略してＣＰＵ）であって良く、又は別の汎用プロセッサ、デジタル信号プロセッサ（英語：Digital  Signal  Processor、略してＤＳＰ）、特定用途向け集積回路（英語：Application  Specific  Integrated  Circuit、略してＡＳＩＣ）、等であって良い。汎用プロセッサはマイクロプロセッサであって良く、プロセッサは任意の従来のプロセッサであって良い、等である。本発明の実施形態を参照して開示された方法のステップは、ハードウェアプロセッサにより直接実行されて良く、又はプロセッサ内のハードウェア及びソフトウェアモジュールの組合せを用いることにより実行されて良い。
【０４０３】
当業者は、方法の実施形態のステップの全部又は一部が関連するハードウェアに指示するプログラムにより実装されて良いことを理解する。プログラムは、コンピュータ可読記憶媒体に格納されて良い。プログラムが実行されると、方法の実施形態のステップが実行される。記憶媒体は、読み出し専用メモリ（英語：read−only  memory、略してＲＯＭ）、ＲＡＭ、フラッシュメモリ、ハードディスク、固体ディスク、磁気テープ（英語：magnetic  tape）、フロッピーディスク（英語：floppy  disk）、光ディスク（英語：optical  disc）、及びそれらの任意の組合せを含む。
【０４０４】
最後に、留意すべきことに、前述の実施形態は、単に本発明の技術的ソリューションを説明するためであり、本発明の範囲を限定するためではない。本発明は、前述の実施形態を参照して詳細に説明されたが、当業者は、本発明の実施形態の技術的ソリューションの範囲から逸脱することなく、彼らが前述の実施形態で説明した技術的ソリューションに変更を行い、又はそれら実施形態の一部又は全部の技術的特徴を等価に置換できることを理解する。
【図１】
0006652636.tif 000003
【図２】
0006652636.tif 000004
【図２Ａ】
0006652636.tif 000005
【図２Ｂ】
0006652636.tif 000006
【図２Ｃ】
0006652636.tif 000007
【図２Ｄ】
0006652636.tif 000008
【図２Ｅ】
0006652636.tif 000009
【図２Ｆ】
0006652636.tif 000010
【図２Ｇ】
0006652636.tif 000011
【図３Ａ】
0006652636.tif 000012
【図３Ｂ】
0006652636.tif 000013
【図３Ｃ】
0006652636.tif 000014
【図３Ｄ】
0006652636.tif 000015
【図４】
0006652636.tif 000016
【図５】
0006652636.tif 000017
【図６】
0006652636.tif 000018
【図７】
0006652636.tif 000019
【図８】
0006652636.tif 000020
【図９】
0006652636.tif 000021
【図１０】
0006652636.tif 000022
【図１１】
0006652636.tif 000023
【図１２】
0006652636.tif 000024
【図１３】
0006652636.tif 000025
【図１４】
0006652636.tif 000026
【図１５】
0006652636.tif 000027